(57)【要約】  無線通信環境においてフェムトセルの識別および／または選択を容易にするシステムおよび方法が説明されている。移動機は、基地局から送られる補助パイロットチャネル情報（例えば、特定のウォルシュコード…）を検出するために補助パイロットチャネルをスキャンすることができる。さらに、識別された補助パイロットチャネル情報は基地局の特徴を検出するために評価されることができる。例えば、識別された補助パイロットチャネル情報は、記憶された補助パイロットチャネル情報（例えば、ホワイトリスト、ブラックリストに含まれるウォルシュコード…）と比較されることができる。さらに、検出された特徴に基づいて同期チャネルが読み取られることができる。さらに、共通パイロットチャネルは例えばフェムトセル基地局用に予約される擬似ノイズ（ＰＮ）オフセットを探すために解析されることができ、かつ補助パイロットチャネルのスキャンは少なくとも１つの予約ＰＮオフセットの検出に応じて開始されることができる。
2011517897.tif 000002
【特許請求の範囲】
【請求項１】
基地局から送られた補助パイロットチャネル情報を識別するために補助パイロットチャネルをスキャンすることと、
前記基地局の特徴を検出するために、記憶された補助パイロットチャネル情報と前記識別された補助パイロットチャネル情報を比較することと、
前記基地局の検出された特徴に基づいて大まかな基地局同一性関連情報を提供する同報チャネルを読み取ることと
を含む方法。
【請求項２】
フェムトセル基地局用に予約された少なくとも１つの擬似ノイズ（ＰＮ）オフセットを探すために共通パイロットチャネルを評価することと、
フェムトセル基地局用に予約された前記少なくとも1つのＰＮオフセットの１つを検出すると前記補助パイロットチャネルの前記スキャンを開始することと
をさらに含む請求項１に記載の方法。
【請求項３】
前記補助パイロットを連続的にスキャンすることをさらに含む請求項１に記載の方法。
【請求項４】
モバイルアシストによる発見および選択、またはオフ周波数サーチ（ＯＦＳ）の開始のためにデータベースに保存された少なくとも１つの位置情報に基づいて前記補助パイロットチャネルの前記スキャンを開始することをさらに含む請求項１に記載の方法。
【請求項５】
前記基地局の前記特徴は、基地局のタイプ、前記基地局のアソシエーションのタイプ、または前記基地局に対応する独自の同一性のうち少なくとも１つである請求項１に記載の方法。
【請求項６】
前記識別された補助パイロットチャネル情報は可能なウォルシュコードの組からの特定の認識されたウォルシュコードを含み、かつ前記記憶された補助パイロットチャネル情報は１つまたは複数の既定のウォルシュコードを含む請求項１に記載の方法。
【請求項７】
前記既定のウォルシュコードはホワイトリストに含まれていて、かつ前記既定のウォルシュコードの各々はそれぞれのアクセス可能なフェムトセル基地局に対応している請求項６に記載の方法。
【請求項８】
前記既定のウォルシュコードはブラックリストに含まれていて、かつ前記既定のウォルシュコードの各々はそれぞれのアクセス不可能なフェムトセル基地局に対応している請求項６に記載の方法。
【請求項９】
前記既定のウォルシュコードは、オープンアソシエーションを表示する第１の予約ウォルシュコード、またはシグナリングアソシエーションを示す第２の予約ウォルシュコードのうち少なくとも１つを含む請求項６に記載の方法。
【請求項１０】
前記記憶された補助パイロットチャネル情報と前記識別された補助パイロットチャネル情報を比較することは、前記特定の認識されたウォルシュコードが前記既定のウォルシュコードの１つに一致するかどうかを評価することをさらに含む請求項６に記載の方法。
【請求項１１】
大まかな基地局同一性関連情報を提供する前記同報チャネルは同期（Sync）チャネルである請求項１に記載の方法。
【請求項１２】
前記基地局がオープンアソシエーションを用いることを検出すると前記同期チャネルを読み取ることをさらに含む請求項１１に記載の方法。
【請求項１３】
前記基地局が制限アソシエーションを利用しており、かつアクセス可能であることを検出すると前記同期チャネルを読み取ることをさらに含む請求項１１に記載の方法。
【請求項１４】
前記同期チャネルの読み取りから前記基地局に対応する無効な識別子を認識すると前記記憶された補助パイロットチャネル情報を更新することをさらに含む請求項１１に記載の方法。
【請求項１５】
物理層同報チャネルを介して、基地局によって送られる情報を収集するように、
前記物理層同報チャネルを介して得られた前記収集情報に応じて、前記基地局のタイプ、前記基地局によってサポートされているアソシエーションのタイプ、または異なる基地局から前記基地局を区別する独自の同一性のうち少なくとも１つを検出するように、
構成された少なくとも１つのプロセッサ
を含む無線通信装置。
【請求項１６】
前記物理層同報チャネルは、補助パイロットチャネル、ユニバーサルモバイルテレコミュニケーションシステム（ＵＭＴＳ）セカンダリ共通パイロットチャネル、または物理層同報制御チャネルを介して送信されるフェムトパイロットのうちの１つである請求項１５に記載の無線通信装置。
【請求項１７】
前記基地局の前記タイプ、前記基地局によってサポートされている前記アソシエーションのタイプ、または前記独自の同一性のうち少なくとも１つの検出に基づいて、同期（Sync）チャネルを読み取る
ように構成された少なくとも１つのプロセッサ
をさらに含む請求項１５に記載の無線通信装置。
【請求項１８】
フェムトセル基地局用に予約された少なくとも１つの擬似ノイズ（ＰＮ）オフセットを求めて共通パイロットチャネルをサーチするように、
フェムトセル基地局用に予約された前記少なくとも１つのＰＮオフセットの１つを検出すると前記情報を収集するために前記物理層同報チャネルのスキャンを開始するように、
構成された少なくとも１つのプロセッサ
をさらに含む請求項１５に記載の無線通信装置。
【請求項１９】
前記基地局によって送られる前記情報を求めて前記物理層同報チャネルを常にスキャンする
ように構成された少なくとも１つのプロセッサ
をさらに含む請求項１５に記載の無線通信装置。
【請求項２０】
記憶情報と前記基地局によって送られる前記収集情報を比較するように構成された少なくとも１つのプロセッサであって、前記収集情報は前記基地局に割り当てられた特定のウォルシュコードを含み、かつ前記記憶情報はメモリに保存された１つまたは複数の既定のウォルシュコードを含んでいる、
少なくとも１つのプロセッサ
をさらに含む請求項１５に記載の無線通信装置。
【請求項２１】
補助パイロットチャネルのスキャンによって受信ウォルシュコードを認識するための手段と、
同報基地局の特徴を識別するために前記受信ウォルシュコードを評価するための手段と、
前記識別された特徴に応じて同期（Sync）チャネルを読み取るように選択するための手段と
を含む装置。
【請求項２２】
フェムトセル基地局に関係する予約擬似ノイズ（ＰＮ）オフセットを求めて、共通パイロットチャネルをモニタリングするための手段をさらに含む請求項２１に記載の装置。
【請求項２３】
前記予約ＰＮオフセットが検出されると、前記補助パイロットチャネルの前記スキャンを開始する請求項２２に記載の装置。
【請求項２４】
前記補助パイロットチャネルの前記スキャンは連続的である請求項２１に記載の装置。
【請求項２５】
モバイルアシストによる発見および選択、またはオフ周波数サーチ（ＯＦＳ）の開始のためにデータベースに保存されている位置情報の少なくとも１つに基づいて、前記補助パイロットチャネルの前記スキャンが開始される請求項２１に記載の装置。
【請求項２６】
前記基地局の前記特徴は、基地局のタイプ、前記基地局のアソシエーションのタイプ、または前記基地局に対応する独自の同一性のうち少なくとも1つである請求項２１に記載の装置。
【請求項２７】
前記受信ウォルシュコードは複数の連続する補助パイロット期間にわたって認識される請求項２１に記載の装置。
【請求項２８】
特定のフェムトセル基地局によって使用される所与のウォルシュコードは自動的に学習され、かつ前記同報基地局が前記特定のフェムトセル基地局であるかどうかを識別するために、前記所与のウォルシュコードは前記受信ウォルシュコードと比較される請求項２１に記載の装置。
【請求項２９】
前記受信ウォルシュコードは、オープンアソシエーションを表示する第１の予約ウォルシュコード、またはシグナリングアソシエーションを示す第２の予約ウォルシュコードのうち少なくとも１つと比較される、請求項２１に記載の装置。
【請求項３０】
基地局から送られる補助パイロットチャネル情報を識別するために、少なくとも１つのコンピュータに補助パイロットチャネルを解析するようにさせるためのコードと、
前記基地局の特徴を検出するために、少なくとも１つのコンピュータに、記憶された補助パイロットチャネル情報と前記識別された補助パイロットチャネル情報を比較するようにさせるためのコードと、
少なくとも１つのコンピュータに、前記基地局の前記検出された特徴に基づいて大まかな基地局同一性関連情報を提供する同報チャネルを読み取るようにさせるためのコードと
を含むコンピュータ可読媒体
を含むコンピュータプログラム製品。
【請求項３１】
少なくとも１つのコンピュータに、共通パイロットチャネル上で、フェムトセル基地局用に予約された少なくとも１つの擬似ノイズ（ＰＮ）オフセットを探すようにさせるためのコードと、
少なくとも１つのコンピュータに、フェムトセル基地局用に予約された前記少なくとも１つのＰＮオフセットの１つを識別すると、前記補助パイロットチャネルを解析することを開始するようにさせるためのコードと
を前記コンピュータ可読媒体がさらに含む請求項３０に記載のコンピュータプログラム製品。
【請求項３２】
前記基地局の前記特徴は、基地局のタイプ、前記基地局のアソシエーションのタイプ、または前記基地局に対応する独自の同一性のうち少なくとも１つである請求項３０に記載のコンピュータプログラム製品。
【請求項３３】
基地局によって送られる物理層同報チャネル情報を識別するために物理層同報チャネルをスキャンする補助パイロット検出コンポーネントと、
前記受信された物理層同報チャネル情報を記憶された物理層同報チャネル情報と比較することによって前記基地局の少なくとも１つの特徴を認識するために、前記受信された物理層同報チャネル情報を評価する比較コンポーネントと、
前記少なくとも１つの特徴に応じて前記基地局への登録を開始する登録コンポーネントと
を含む装置。
【請求項３４】
受信されたパイロットシーケンスから擬似ノイズ（ＰＮ）オフセットを識別し、かつ前記識別されたＰＮオフセットがフェムトセルの表示に使用される予約ＰＮオフセットであるかどうかを認識する、共通パイロット評価コンポーネントをさらに含む請求項３３に記載の装置。
【請求項３５】
基地局の特徴に応じてウォルシュコードの組からウォルシュコードを選択することと、
前記選択されたウォルシュコードに基づいて、独自の補助パイロットを発生することと、
前記特徴を表示するために、少なくとも１つの移動機に前記独自の補助パイロットを同報することと
を含む方法。
【請求項３６】
前記基地局の前記特徴は、基地局のタイプ、前記基地局のアソシエーションのタイプ、または前記基地局に対応する独自の同一性のうち少なくとも１つである請求項３５に記載の方法。
【請求項３７】
オープンアソシエーションが前記基地局によって活用されていることを表示するために、前記ウォルシュコードの組から第１の予約ウォルシュコードを選択することと、
シグナリングアソシエーションが前記基地局によって利用されていることを表示するために、前記ウォルシュコードの組から第２の予約ウォルシュコードを選択することと
をさらに含む請求項３５に記載の方法。
【請求項３８】
前記選択されたウォルシュコードは前記基地局に割り当てられる請求項３５に記載の方法。
【請求項３９】
前記基地局がフェムトセル基地局である場合、予約擬似ノイズ（ＰＮ）オフセットを組み込んだ共通パイロットを送信することをさらに含む請求項３５に記載の方法。
【請求項４０】
基地局に割り当てられたウォルシュコードスペースからのウォルシュコードに基づいて補助パイロットを発生するように、
前記割り当てられたウォルシュコードに応じて前記基地局の特徴を指定するために１つまたは複数の移動機に前記補助パイロットを送信するように、
構成されている少なくとも１つのプロセッサ
を含む無線通信装置。
【請求項４１】
前記ウォルシュコードスペースは、フェムト関連の使用のための第１のウォルシュコードのサブセットと、フェムト関連でない使用のための第２のウォルシュコードのサブセットとを含むように分割されている請求項４０に記載の無線通信装置。
【請求項４２】
前記基地局の前記特徴は、基地局のタイプ、前記基地局のアソシエーションのタイプ、または前記基地局に対応する独自の同一性のうち少なくとも１つである請求項４０に記載の無線通信装置。
【請求項４３】
前記基地局がフェムトセル基地局である場合、予約擬似ノイズ（ＰＮ）オフセットを組み込んだ共通パイロットを同報する
ように構成されている少なくとも１つのプロセッサ
をさらに含む請求項４０に記載の無線通信装置。
【請求項４４】
基地局において割り当てウォルシュコードを得るための手段と、
前記割り当てウォルシュコードに応じて、独自の補助パイロットを生成するための手段と、
前記基地局の特徴を識別するために、１つまたは複数の移動機に前記独自の補助パイロットを送信するための手段と
を含む装置。
【請求項４５】
前記基地局がフェムトセル基地局であることを表示するために、予約擬似ノイズ（ＰＮ）オフセットを伴う共通パイロットを転送するための手段をさらに含む請求項４４に記載の装置。
【請求項４６】
前記基地局の前記特徴は、基地局のタイプ、前記基地局のアソシエーションのタイプ、または前記基地局に対応する独自の同一性のうち少なくとも１つである請求項４４に記載の装置。
【請求項４７】
少なくとも１つのコンピュータに、割り当てられたウォルシュコードに基づいて独自の補助パイロットを発生するようにさせるためのコードであって、前記ウォルシュコードは基地局の特徴に応じて割り当てられている、コードと、
前記特徴を表示するために、少なくとも１つのコンピュータに、前記独自の補助パイロットを少なくとも１つの移動機に同報するようにさせるためのコードと
を含むコンピュータ可読媒体
を含むコンピュータプログラム製品。
【請求項４８】
前記基地局の前記特徴は、基地局のタイプ、前記基地局のアソシエーションのタイプ、または前記基地局に対応する独自の同一性のうち少なくとも１つである請求項４７に記載のコンピュータプログラム製品。
【請求項４９】
前記基地局がフェムトセル基地局であることを表示するために、少なくとも１つのコンピュータに、予約擬似ノイズ（ＰＮ）オフセットを伴う共通パイロットを転送するようにさせるためのコードを、前記可読媒体がさらに含む、請求項４７に記載のコンピュータ可読製品。
【請求項５０】
基地局から少なくとも１つの移動機への送信のためにフェムトセル基地局用に予約される特定の擬似ノイズ（ＰＮ）オフセットを伴うパイロットシーケンスを生成する共通パイロット発生コンポーネントと、
物理層同報チャネルを介した送信用に、前記基地局に関連する情報を生成する補助パイロット発生コンポーネントであって、前記情報は、前記基地局がフェムトセル基地局であること、前記基地局のアソシエーションのタイプ、または前記基地局の独自の識別子のうち少なくとも１つを明示する、補助パイロット発生コンポーネントと
を含む装置。
【請求項５１】
可能性のあるウォルシュコードの組から特定のウォルシュコードを動的に選択するコード割り当てコンポーネントであって、前記特定のウォルシュコードは前記基地局に関連する前記情報である、コード割り当てコンポーネントをさらに含む請求項５０に記載の装置。
【発明の詳細な説明】
【技術分野】
【０００１】
３５Ｕ．Ｓ．Ｃ．§１１９の下の優先権の主張
本特許出願は、２００８年３月２８日に出願された“FEMTO CELL SYSTEM SELECTION”（フェムトセルシステムの選択）と題し、ここに引用することによりここに明確に組み込まれ、これについての譲受人に譲渡された、米国仮出願番号６１/０４０，２９７の優先権を主張する。
【０００２】
以下の説明は、概して無線通信に関し、より詳細には無線通信環境におけるフェムトセルの検出および／または選択に関する。
【背景技術】
【０００３】
無線通信システムは、例えば音声、データ、等の様々なタイプの通信コンテンツを提供するために広く配備されている。典型的な無線通信システムは、利用可能なシステムリソース（例えば帯域幅、送信パワー…）を共有することにより複数のユーザーによる通信をサポートすることができる多元接続システムであることができる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびこれらと同様のものを含むことができる。加えて、これらのシステムは、第三世代パートナーシッププロジェクト（３ＧＰＰ）、３ＧＰＰロングタームエボリューション（ＬＴＥ）、ウルトラモバイルブロードバンド（ＵＭＢ）といった仕様、および／またはエボリューションデータオプティマイズド（ＥＶ-ＤＯ）、その１つまたは複数の改訂版といったマルチキャリア無線仕様、等に適合することができる。
【０００４】
一般に、無線多元接続通信システムは、複数の移動機のための通信を同時にサポートすることができる。各移動機は、フォワードおよびリバースリンクでの伝送を介して、１つまたは複数の基地局と通信することができる。フォワードリンク（つまりダウンリンク）は基地局から移動機への通信リンクのことを言い、リバースリンク（つまりアップリンク）は移動機から基地局への通信リンクのことを言う。さらに、移動機と基地局間の通信は、単一入力単一出力（ＳＩＳＯ）システム、多入力単一出力（ＭＩＳＯ）システム、多入力多出力（ＭＩＭＯ）システム、等を介して確立されることができる。加えて、移動機は他の移動機と（および／または基地局は他の基地局と）ピアツーピアの無線ネットワーク構成で通信することができる。
【０００５】
無線通信システムは一般に様々なタイプの基地局を含むことができ、そのそれぞれは異なるセルサイズに関連付けられることができる。例えば、マクロセル基地局は一般的にアンテナ塔、屋上、他の既存の建造物、またはこれらと同様のものに設置されたアンテナ（単数または複数）を活用している。さらに、マクロセル基地局は、しばしばおよそ数十ワットのパワー出力を持っており、広いエリアにカバレッジを提供することができる。フェムトセル基地局は、最近登場した別の部類の基地局である。フェムトセル基地局は、一般に居宅または小企業環境用に設計されており、既存のブロードバンドインターネット接続（例えば、ディジタル加入者回線（ＤＳＬ）、ケーブル…）を使用する移動機に、無線カバレッジを提供することができる。フェムトセル基地局は、また、ホームノードＢ（ＨＮＢ）、フェムトセル、またはこれらと同様のものとして呼ばれることができる。
【０００６】
シナリオ例によると、移動機は異なる地理的位置間を移動することがあり、この異なる地理的位置は１つまたは複数の異なる基地局によりカバーされることができる。例えば移動機は、最初は第１の基地局に、次に第２の基地局に関連付けられているカバレッジエリアにあることができる。移動機の位置は変わるため、移動機によりアクセス可能なフェムトセル基地局（単数または複数）を認識することが移動機にとって好都合であることがある。移動機は、自分のフェムトセル基地局（例えば、この移動機のユーザー／アカウントに関連付けられた…）、この移動機のユーザーの友人、近所の人等のフェムトセル基地局、およびこれらと同様のものにアクセスすることができる。実例として、フェムトセル基地局がマクロセル基地局よりも好まれることがあるのは、これらに対応する通信と一般に関連付けられるそれぞれの請求方法のためである（例えば、フェムトセル基地局を活用する通信は定額料金の課金が可能である一方、マクロセル基地局を活用する通信は使用時間に応じて課金され得る…）。
【０００７】
フェムトセル基地局を識別および／または選択するために移動機により利用される従来の技術は、しばしば非効率で時間を浪費する。例えば、フェムトセルシステムの一般的な選択に関連して、移動機はバッテリーパワーの著しい消耗（例えば、モデム受信機の操作に関連付けられる…）、遅延、等を被ることがある。移動機がマクロセル基地局またはフェムトセル基地局のカバレッジエリアのうちどちらにあるのかを判断するために、従来の手法はしばしば１つ（または複数）の同報チャネル（例えば、同期チャネル…）の読み取りを含むことがある。しかし、同報チャネルを介して送られたオーバージエアー（over-the-air）メッセージの読み取りにコストがかかることがあり、それは、そのような手法が一般に、同報メッセージを得ることができる前に多くのステップ（例えば、周波数帯域の同調、擬似ノイズ（pseudo-noise: PN）オフセットの同調…）を含むためである（例えば、バッテリーの寿命を縮めたり、時間の遅延を招いたりする…）。さらに、フェムトセル基地局を見つけると、移動機は一般的に、登録を試みることによって、そのフェムトセル基地局がアクセスを認めるのか（例えば、オープンアソシエーション…）、またはアクセスを拒否するのか（例えば、個人使用のための制限されたアクセス…）を判断する。
【０００８】
基地局に、それが異なるタイプの基地局（例えば、マクロセル基地局…）ではなくフェムトセル基地局である、と告知させるために利用されてきた一般的な手法は、フェムトセル基地局用の擬似ノイズ（ＰＮ）オフセットの組の予約を必要とする。ＰＮオフセットの組はセルラーオペレータにより予約されることができる。さらに、ＰＮオフセットはセクタまたはセルを識別する物理層パラメータである。しかし、上記の手法には様々な問題が付随する。例えば、そのような手法では、移動機は、基地局が滞在できる有効なフェムトセル基地局なのかどうかを判断するために、一般的に同期チャネルを読み取ったり、および／または特定の基地局への登録を試みたりする必要がある。さらに、上記の例はマクロセルネットワークのＰＮオフセットの再準備および／または再構成を必要とすることがある。さらに、マクロセルネットワークへの影響を最少にするために、オペレータはフェムトセル基地局用に予約されるＰＮオフセットの数を最少にするほうを好むかもしれない；例えば、オペレータは明確なフェムトＰＮオフセットを持たないことを望むかもしれない。上記の手法での別の欠点は、ＰＮオフセットスキャンが行われる際、移動機は一般的に最強のパイロットを選択し、かつそのパイロット専用の同期チャネルを読み取る一方で、残りの強いパイロット（単数または複数）（もしあれば）がしばしば無視されることである。したがって、その付近で可能性のあるフェムトセル基地局を識別する、移動機の能力が限られることがある。さらに、ある移動機用のホームフェムトセル基地局付近に、隣接し、制限された、強いフェムトセル基地局があると、その移動機は望ましいホームフェムトセル基地局を見つけるのを妨げられる場合がある。
【発明の概要】
【０００９】
以下は、そのような態様の基本的な理解を提供するために、１つまたは複数の態様の簡潔な概要を提示する。この概要は、意図されるすべての態様の広範囲にわたる概観ではなく、すべての態様の鍵または決定的要素を明らかにするものでも、いずれの、またはすべての態様の範囲を明確にするのでもないものとする。その唯一の目的は、後に提示される、より詳細な説明への前置きとして、１つまたは複数の態様のいくつかの概念を簡潔な形で提示することである。
【００１０】
１つまたは複数の実施形態およびそれに対応する開示に従い、無線通信環境におけるフェムトセルの識別および／または選択に関連して様々な態様が説明される。移動機は、基地局から送られた補助パイロットチャネル情報（例えば、特定のウォルシュコード…）を検出するために、補助パイロットチャネルをスキャンすることができる。さらに、識別された補助パイロットチャネル情報は、基地局の特徴を検出するために評価されることができる。例えば、識別された補助パイロットチャネル情報は、記憶された補助パイロットチャネル情報（例えば、ホワイトリスト、ブラックリストに含まれたウォルシュコード（単数または複数）…）と比較されることができる。さらに、同期チャネルは検出された特徴に基づいて読み取られることができる。さらに共通パイロットチャネルは、例えば、フェムトセル基地局用に予約された擬似ノイズ（ＰＮ）オフセット（単数または複数）を探すために解析されることができ、補助パイロットチャネルのスキャンは、少なくとも１つの予約ＰＮオフセットの検出に応じて開始されることができる。
【００１１】
関連する態様に従い、ここに方法が説明される。この方法は、基地局から送られた補助パイロットチャネル情報を識別するために補助パイロットチャネルをスキャンすることを含むことができる。さらにこの方法は、基地局の特徴を検出するために、記憶された補助パイロットチャネル情報と識別された補助パイロットチャネル情報を比較することを含むことができる。さらにこの方法は、基地局の検出された特徴に基づいて、大まかな基地局同一性関連情報を提供する同報チャネルを読み取ることを含むことができる。
【００１２】
別の態様は無線通信装置に関する。この無線通信装置は少なくとも１つのプロセッサを含むことができる。この少なくとも１つのプロセッサは、物理層同報チャネルを介して、基地局より送られた情報を収集するように構成されることができる。さらに、この少なくとも１つのプロセッサは、物理層同報チャネルを介して得られた収集情報に応じて、基地局のタイプ、その基地局によってサポートされているアソシエーションのタイプ、または異なる基地局からその基地局を区別する独自の同一性のうち少なくとも１つを検出するように構成されることができる。
【００１３】
さらに別の態様は無線通信装置に関する。無線通信装置は、補助パイロットチャネルのスキャンによって受信ウォルシュコードを認識するための手段を含むことができる。さらに無線通信装置は、同報基地局の特徴を識別するために、受信ウォルシュコードを評価するための手段を含むことができる。さらに無線通信装置は、識別された特徴に応じて同期（Ｓｙｎｃ）チャネルを読み取るように選択するための手段を含むことができる。
【００１４】
さらに別の態様はコンピュータ可読媒体を含むことができるコンピュータプログラム製品に関する。コンピュータ可読媒体は、基地局から送られた補助パイロットチャネル情報を識別するために、少なくとも１つのコンピュータに、補助パイロットチャネルを解析するようにさせるためのコードを含むことができる。さらにコンピュータ可読媒体は、基地局の特徴を検出するために、少なくとも１つのコンピュータに、記憶された補助パイロットチャネル情報と識別された補助パイロットチャネル情報を比較するようにさせるためのコードを含むことができる。さらにコンピュータ可読媒体は、少なくとも１つのコンピュータに、基地局の検出された特徴に基づいて、大まかな基地局同一性関連情報を提供する同報チャネルを読み取るようにさせるためのコードを含むことができる。
【００１５】
さらに別の態様は、基地局によって送られた物理層同報チャネル情報を識別するために物理層同報チャネルをスキャンする補助パイロット検出コンポーネントを含むことができる装置に関する。この装置はさらに、記憶された物理層同報チャネル情報と受信された物理層同報チャネル情報を比較することによって基地局の少なくとも１つの特徴を認識するために、受信された物理層同報チャネル情報を評価する比較コンポーネントを含むことができる。さらにこの装置は、少なくとも１つの特徴に応じて基地局への登録を開始する登録コンポーネントを含むことができる。
【００１６】
他の態様に従い、方法がここに説明される。この方法は、基地局の特徴に応じてウォルシュコードの組から１つのウォルシュコードを選択することを含むことができる。さらにこの方法は、選択されたウォルシュコードに基づいて独自の補助パイロットを発生することを含むことができる。さらにこの方法は、その特徴を表示するために少なくとも1つの移動機に独自の補助パイロットを同報することを含むことができる。
【００１７】
別の態様は無線通信装置に関する。この無線通信装置は少なくとも１つのプロセッサを含むことができる。この少なくとも１つのプロセッサは、基地局に割り当てられたウォルシュコードスペースからのウォルシュコードに基づいて補助パイロットを発生するように構成されることができる。さらにこの少なくとも１つのプロセッサは、割り当てられたウォルシュコードに応じて基地局の特徴を指示するために１つまたは複数の移動機に補助パイロットを送信するように構成されることができる。
【００１８】
さらに別の態様は無線通信装置に関する。この無線通信装置は、基地局において割り当てウォルシュコードを得るための手段を含むことができる。さらにこの無線通信装置は、割り当てウォルシュコードに応じて独自の補助パイロットを生成するための手段を含むことができる。さらにこの無線装置は、基地局の特徴を識別するために１つまたは複数の移動機に独自の補助パイロットを送信するための手段を含むことができる。
【００１９】
さらに別の態様はコンピュータ可読媒体を含むことができるコンピュータプログラム製品に関する。このコンピュータ可読媒体は、少なくとも１つのコンピュータに、割り当てられたウォルシュコードに基づいて独自の補助パイロットを発生するようにさせるためのコードを含むことができ、このウォルシュコードは基地局の特徴に応じて割り当てられている。このコンピュータ可読媒体はまた、少なくとも１つのコンピュータに、特徴を表示するために少なくとも１つの移動機に独自の補助パイロットを同報するようにさせるためのコードを含むことができる。
【００２０】
さらに別の態様は、基地局から少なくとも１つの移動機への送信のためにフェムトセル基地局用に予約される特定の擬似ノイズ（ＰＮ）オフセットを伴うパイロットシーケンスを生成する共通パイロット発生コンポーネントを含むことができる装置に関する。この装置はさらに、物理層同報チャネルを介した送信用に、基地局に関連する情報を生成する補助パイロット発生コンポーネントを含むことができ、この情報は、基地局がフェムトセル基地局であること、基地局のアソシエーションのタイプ、または基地局の独自の識別子のうち少なくとも１つを明示する。
【００２１】
上記の、および関連する目的の達成のために、１つまたは複数の態様は、以下に十分に説明され、請求項の中で特に指摘されている特徴を含む。以下の説明および付属の図面は、１つまたは複数の態様の、ある例示的な特徴を詳細に示す。しかし、これらの特徴は、様々な態様の原理を用いることができる様々な方法のほんの数例しか示しておらず、この説明はそのようなすべての態様およびそれらの均等物を含むものとする。
【図面の簡単な説明】
【００２２】
【図１】ここに示される様々な態様に従った無線通信システムの説明図である。
【図２】ネットワーク環境内でアクセスポイント基地局（例えば、フェムトセル基地局…）の配備を可能にする例示的システムの説明図である。
【図３】無線通信環境においてフェムトセルシステムの効率的な選択をサポートする例示的システムの説明図である。
【図４】ここに説明されている様々な態様に従ったウォルシュコードの例示的ツリーの説明図である。
【図５】無線通信環境においてフェムトセルシステムの識別および選択のために共通パイロットおよび補助パイロットを活用する例示的システムの説明図である。
【図６】無線通信環境においてフェムトセル基地局に関連付けられる特徴を識別するために補助パイロットを用いる例示的システムの説明図である。
【図７】無線通信環境においてフェムトセル基地局を検出することを容易にする例示的方法の説明図である。
【図８】無線通信環境において１つまたは複数の移動機にフェムトセル基地局関連情報を流すことを容易にする例示的方法の説明図である。
【図９】無線通信システムにおいて基地局の特徴を認識するために補助パイロットチャネルを評価する例示的移動機の説明図である。
【図１０】無線通信環境においてシステムの識別および／または検出のために利用される情報を提供する例示的システムの説明図である。
【図１１】ここに説明されている様々なシステムおよび方法とともに用いられることが可能な例示的無線ネットワーク環境の説明図である。
【図１２】無線通信環境においてフェムトセル基地局を検出することを可能にする例示的システムの説明図である。
【図１３】無線通信環境においてシステムの選択に使用される識別情報を同報することを可能にする例示的システムの説明図である。
【詳細な説明】
【００２３】
ここでは図面を参照して様々な態様を説明する。以下の説明では、１つまたは複数の態様の完全な理解を提供するために、説明の目的で、数多くの具体的な詳細が示される。しかし、そのような態様（単数または複数）はこれらの具体的な詳細がなくても実施可能であることは明らかであろう。
【００２４】
本願で使用されているように、「コンポーネント」、「モジュール」、「システム」およびこれらと同様のものの用語はコンピュータ関連のエンティティ、ハードウェア、ファームウェア、ハードウェアとソフトウェアの組合せ、ソフトウェア、または実行中のソフトウェアを含むものとするが、これらに限定されない。例えばコンポーネントは、プロセッサで実行中のプロセス、プロセッサ、オブジェクト、実行ファイル、実行のスレッド、プログラム、および／またはコンピュータであることができるが、これらに限定されない。説明として、コンピュータ機器で実行中のアプリケーションもそのコンピュータ機器もコンポーネントとすることができる。１つまたは複数のコンポーネントは、プロセスおよび／または実行のスレッドの中にある場合があり、コンポーネントは１つのコンピュータにローカライズされたり、および／または２つ以上のコンピュータ間で分散されたりする場合がある。加えて、これらのコンポーネントは、様々なデータ構造を格納した様々なコンピュータ可読媒体から実行可能である。コンポーネントは、１つまたは複数のデータパケット、例えばローカルシステムや分散システムにおいて、および／またはインターネットのような、信号による他のシステムとのネットワークにわたって、別のコンポーネントと相互作用する１つのコンポーネントからのデータを有する信号に従うといった、ローカルおよび／またはリモート処理によって通信することができる。
【００２５】
さらに、端末に関連して様々な態様がここに説明されており、これは有線端末または無線端末であることが可能である。端末は、また、システム、機器、加入者ユニット、加入者局、移動局、モバイル、移動機、リモート局、リモート端末、アクセス端末、ユーザー端末、端末、通信機器、ユーザーエージェント、ユーザー機器、またはユーザーイクイップメント（ＵＥ）と呼ばれることも可能である。無線端末は、セル方式電話、衛星電話、コードレス電話、セッション開始プロトコル（ＳＩＰ）電話、無線ローカルループ（ＷＬＬ）局、携帯情報端末（ＰＤＡ）、無線接続能力を有するハンドヘルド機器、コンピュータ機器、または無線モデムに接続される他のプロセッサ機器であることが可能である。さらに、基地局に関連して様々な態様がここに説明されている。基地局は、無線（単数または複数）端末と通信するために利用されることが可能であり、アクセスポイント、ノードＢ、エボルブド（Evolved）ノードＢ（ｅＮｏｄｅＢ、ｅＮＢ）、フェムトセル、ピコセル、マイクロセル、マクロセル、またはいくつかの他の専門用語として呼ばれることもまた可能である。
【００２６】
さらに、「または」という用語は、排他的な「または」というよりはむしろ、包括的な「または」を意味するものする。つまり、別段の指定がない限り、または文脈から明らかでない限り、「Ｘは、ＡまたはＢを用いる」という句は、自然な包括的置換のいずれをも意味するものとする。つまり、「Ｘは、ＡまたはＢを用いる」という句は、以下の例のいずれによっても意を満たす：ＸはＡを用いる；ＸはＢを用いる；または、ＸはＡもＢも用いる。加えて、本願および添付請求項で使用される「１つの」（“a” and “an”）という冠詞は、別段の指定がない限り、または文脈から単数形にあてられたものであることが明らかでない限り、一般に「１つまたは複数の」（“one or more”）を意味するものと解釈されるべきである。
【００２７】
ここに説明されている技術は、様々な無線通信システム、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ-ＦＤＭＡ）および他のシステムに使用されることができる。「システム」および「ネットワーク」という用語は、しばしば互換性をもって使用される。ＣＤＭＡシステムは、ラジオテクノロジー（radio technology）、例えばユニバーサル地上無線アクセス（Universal Terrestrial Radio Access: UTRA）、ＣＤＭＡ２０００等を実現することが可能である。ＵＴＲＡは、ワイドバンドＣＤＭＡ（Ｗ-ＣＤＭＡ）および他の別種のＣＤＭＡを含む。さらに、ＣＤＭＡ２０００は、ＩＳ-２０００、ＩＳ-９５およびＩＳ-８５６の規格をカバーする。ＴＤＭＡシステムは、移動通信用グローバルシステム（ＧＳＭ（登録商標））といったラジオテクノロジーを実現することができる。ＯＦＤＭＡシステムは、エボルブド（Evolved）ＵＴＲＡ（Ｅ-ＵＴＲＡ）、ウルトラモバイルブロードバンド（ＵＭＢ）、ＩＥＥＥ８０２．１１（Ｗｉ-Ｆｉ）、ＩＥＥＥ８０２．１６（ＷｉＭＡＸ）、ＩＥＥＥ８０２．２０、フラッシュＯＦＤＭ、等といったラジオテクノロジーを実現することができる。ＵＴＲＡおよびＥ-ＵＴＲＡは、ユニバーサルモバイルテレコミュニケーションシステム（ＵＭＴＳ）の一部である。３ＧＰＰロングタームエボリューション（ＬＴＥ）は、Ｅ-ＵＴＲＡを使用するＵＭＴＳのリリースであり、ＯＦＤＭＡをダウンリンクに、ＳＣ-ＦＤＭＡをアップリンクに用いる。ＵＴＲＡ、Ｅ-ＵＴＲＡ、ＵＭＴＳ、ＬＴＥおよびＧＳＭは、「第三世代パートナーシッププロジェクト」（３ＧＰＰ）と称する組織からの資料において説明されている。加えて、ＣＤＭＡ２０００およびウルトラモバイルブロードバンド（ＵＭＢ）は、「第三世代パートナーシッププロジェクト２」（３ＧＰＰ２）と称する組織からの資料において説明されている。さらに、そのような無線通信システムは加えて、対になっていない、免許不要のスペクトルをしばしば使用するピアツーピア（例えば、モバイルツーモバイル）のアドホックネットワークシステム、８０２.ｘｘ無線ＬＡＮ、ＢＬＵＥＴＯＯＴＨ（登録商標）、およびショートレンジまたはロングレンジの、別の他の無線通信技術をさらに含むことができる。
【００２８】
シングルキャリア周波数分割多元接続（ＳＣ-ＦＤＭＡ）は、シングルキャリア変調および周波数領域の等化を利用する。ＳＣ-ＦＤＭＡは、ＯＦＤＭＡシステムと、類似した性能および本質的に同様の全体的複雑性を有する。ＳＣ-ＦＤＭＡ信号は、その固有のシングルキャリア構造のため、ピークツーアベレージ（peak-to-average）パワー比（ＰＡＰＲ）がより低くなっている。例えば、ＳＣ-ＦＤＭＡは、ＰＡＰＲがより低くなっていると送信パワー効率の点で大いにアクセス端末のためになるアップリンク通信において、使用され得る。したがって、ＳＣ-ＦＤＭＡは、３ＧＰＰロングタームエボリューション（ＬＴＥ）またはエボルブドＵＴＲＡにおいてアップリンク多元接続方式として実現されることが可能である。
【００２９】
ここに説明されている様々な態様または特徴は、標準のプログラミングおよび／またはエンジニアリング技術を使用した、方法、装置、または製品として実現されることが可能である。ここに使用されている「製品」という用語は、いずれの、コンピュータ可読機器、キャリア、または媒体からでもアクセス可能な、コンピュータプログラムを含むものとする。例えば、コンピュータ可読媒体は、磁気記憶機器（例えばハードディスク、フロッピー（登録商標）ディスク、磁気帯、等）、光ディスク（例えばコンパクトディスク（ＣＤ）、ディジタル多用途ディスク（ＤＶＤ）、等）、スマートカード、およびフラッシュメモリ機器（例えば、ＥＰＲＯＭ、カード、スティック、キードライブ、等）を含むことができるが、これらに限定されない。加えて、ここに説明されている様々な記憶媒体は、情報を格納するための、１つまたは複数の機器および／または他の機械可読媒体を代表することができる。「機械可読媒体」という用語は、命令（単数または複数）および／またはデータを、格納したり、包含したり、および／または搬送したりすることができる、無線チャネルおよび様々な他の媒体を含むことが可能であるが、これらに限定されることはない。
【００３０】
ここで図１を参照すると、ここに提示される様々な実施形態に従って、無線通信システム１００が示されている。システム１００は複数のアンテナグループを含むことができる基地局１０２を含んでいる。例えば1つのアンテナグループはアンテナ１０４および１０６を含むことができ、別のグループはアンテナ１０８および１１０を含むことができ、さらなるグループはアンテナ１１２および１１４を含むことができる。２つのアンテナが各アンテナグループに示されている；しかし、より多い、またはより少ないアンテナが各グループに利用されることができる。基地局１０２はさらに、当業者に理解されるとおり、送信機系統および受信機系統を含むことができ、そのそれぞれは信号の送信および受信に関連付けられる複数のコンポーネント（例えば、プロセッサ、変調器、多重化装置、復調器、多重分離化装置、アンテナ、等）もまた含むことができる。
【００３１】
基地局１０２は、移動機１１６および移動機１２２といった、１つまたは複数の移動機と通信することができる；しかし、基地局１０２は、移動機１１６および１２２に類似した移動機の、実質的には何台とでも通信可能であることが理解されるべきである。例えば移動機１１６および１２２は、セル方式電話、スマートフォン、ラップトップ、ハンドヘルド通信機器、ハンドヘルドコンピュータ機器、衛星ラジオ、全地球位置測定システム、ＰＤＡ、および／または無線通信システム１００にわたって通信するのに好ましい別の他の機器であることが可能である。図示されているように、移動機１１６はアンテナ１１２および１１４と通信中であり、アンテナ１１２および１１４は、フォワードリンク１１８によって移動機１１６に情報を送信し、リバースリンク１２０によって移動機１１６から情報を受信する。さらに、移動機１２２はアンテナ１０４および１０６と通信中であり、アンテナ１０４および１０６は、フォワードリンク１２４によって移動機１２２に情報を送信し、リバースリンク１２６によって移動機１２２から情報を受信する。例えば、周波数分割複信（ＦＤＤ）システムにおいて、フォワードリンク１１８は、リバースリンク１２０によって使用されているのとは異なる周波数帯域を利用することができ、フォワードリンク１２４は、リバースリンク１２６によって用いられているのとは異なる周波数帯域を用いることができる。さらに、時分割複信（ＴＤＤ）システムにおいて、フォワードリンク１１８とリバースリンク１２０は共通の周波数帯域を利用することができ、フォワードリンク１２４とリバースリンク１２６は共通の周波数帯域を利用することができる。
【００３２】
アンテナおよび／またはそれらが通信するように指示されているエリアの各グループは、基地局１０２のセクタとして呼ばれることができる。例えば、アンテナグループは、基地局１０２によってカバーされているエリアのセクタにおいて移動機に通信するように設計されることができる。フォワードリンク１１８および１２４による通信において、基地局１０２の送信アンテナは、移動機１１６および１２２用のフォワードリンク１１８および１２４の信号対ノイズ比を改善するためにビームフォーミングを利用することができる。また、基地局１０２は、関連するカバレッジ中にばらばらに散らばった移動機１１６および１２２に送信するためにビームフォーミングを利用する一方で、隣接セルにおける移動機は、１本のアンテナによる、そのすべての移動機への基地局送信と比較すると、干渉をより受けにくくなることができる。
【００３３】
基地局１０２は、それに関連する様々な特徴を移動機１１６、１２２に表示するために、物理層同報チャネルを利用することができる。例として、物理層同報チャネルは、ワンタイムズラジオトランスミッションテクノロジー（1 Times Radio Transmission Technology: 1xRTT）補助パイロットチャネル、ＵＭＴＳセカンダリ共通パイロットチャネル、物理層同報制御チャネルを介して送信されるフェムトパイロット、等であることができる。例えば、基地局１０２は、物理層同報チャネルを利用している移動機１１６、１２２に、基地局のタイプ（例えば、フェムトセル基地局対マクロセル基地局…）を表示することができる。例によると、基地局の他のタイプ、例えばマイクロセル基地局、ピコセル基地局、およびそれらと同様のものは、物理層同報チャネルを介して明示されることができる。さらに、基地局１０２がフェムトセル基地局であれば、物理層同報チャネルは移動機１１６、１２２に、基地局１０２に対応するアソシエーションのタイプ（例えば、オープン使用、制限された個人使用、シグナリング…）を明示するために利用されることができる。さらに物理層同報チャネルは、異なるフェムトセル基地局（単数または複数）（図示せず）からフェムトセル基地局１０２を区別するのを助けるため、より精細なレベルの細分性を移動機１１６、１２２に示すために活用されることができる。ここに説明されている物理層同報チャネルの利用により、移動機１１６、１２２は、基地局１０２がフェムトセル基地局（異なるタイプの基地局に対して）であるかどうか、基地局１０２のアソシエーションのタイプ、基地局１０２の識別子、等を素早く判断することができる。上記とは対照的に、そのような情報の伝達および／または認識のための従来の技術では、各移動機１１６、１２２は一般的に、最初に同期チャネルを読み取るであろうし、ことによると登録を行うであろう（例えば、しばしば拒否される…）から、移動機１１６、１２２は、バッテリーパワーのより激しい消耗、アクセスの遅延、およびそれらと同様のものを被ることになることがある。従来技術の例は、エンハンスドプリファードローミングリスト（enhanced preferred roaming list: PRL）、パイロットビーコンの使用、または汎用ネイバーリストメッセージ（generalized neighbor list message）（例えば、オフ周波数サーチ…）を含むが、これらの技術は上記の同期チャネルの読み取りを活用する。
【００３４】
ここに説明されている技術は、実質的にどのアクセス技術をも用いるシステムに応用されることができると意図される。ここに説明されている例の多くは、３ＧＰＰ２ＣＤＭＡ２０００システムに関するが、説明されている手法は、ＣＤＭＡシステム（例えば、３ＧＰＰ２、３ＧＰＰ…）、ＯＦＤＭシステム（例えば、ＵＭＢ、ＷｉＭＡＸ、ＬＴＥ…）等といった、実質的にどの他のアクセス技術にも拡張されることができるが、これらに限定されないことが理解されるべきである。
【００３５】
図２は、ネットワーク環境内でアクセスポイント基地局（例えば、フェムトセル基地局…）の配備を可能にする典型的な通信システム２００を示している。図２に示されているように、システム２００は複数のフェムトセル基地局を含んでいて、これらはまた、アクセスポイント基地局、ホームノードＢユニット（ＨＮＢｓ）、フェムトセル、またはこれらと同様のものとして呼ばれることができる。フェムトセル基地局（ＨＮＢｓ２１０）は、例えば、対応する小規模ネットワーク環境、例えば１つまたは複数のユーザー居宅２３０にそれぞれが設置されることができ、かつ関連する移動機２２０だけでなく、よその移動機２２０にもサービスするようにそれぞれが構成されることができる。各ＨＮＢ２１０はさらに、ＤＳＬルータ（図示せず）、または代替としてケーブルモデム（図示せず）を介して、インターネット２４０およびモバイルオペレータコアネットワーク２５０に連結されている。
【００３６】
ここに説明されている実施形態は３ＧＰＰの専門用語を使用するが、実施形態は３ＧＰＰ（Ｒｅl９９、Ｒｅl５、Ｒｅl６、Ｒｅl７）テクノロジーだけでなく、３ＧＰＰ２（１ｘＲＴＴ、１ｘＥＶ−ＤＯ  Ｒｅｌ０、ＲｅｖＡ、ＲｅｖＢ）テクノロジーおよび他の周知関連テクノロジーにも応用されることもできると理解されるべきである。ここに説明されている、そのような実施形態では、ＨＮＢ２１０の所有者は、モバイルサービス、例えばモバイルオペレータコアネットワーク２５０により提供される３Ｇモバイルサービスに加入しており、マクロセル基地局２６０を介したマクロセル方式環境においても、居宅用小規模ネットワーク環境においても、移動機２２０を操作することができる。このようにＨＮＢ２１０は、いずれの既存の移動機２２０とも下位互換性がある。
【００３７】
さらに、マクロセルアクセスネットワークにおける基地局（例えば、基地局２６０…）に加えて、移動機２２０は、あらかじめ決められた数のＨＮＢｓ２１０、つまりユーザー居宅２３０内にあるＨＮＢｓ２１０によってサービスされることができ、マクロセルアクセスネットワークとソフトハンドオーバー状態になることもない。移動機２２０は、マクロセル基地局２６０ともＨＮＢｓ２１０とも通信することができるが、両方と同時にではない。移動機２２０がＨＮＢ２１０と通信する権限を与えられている限り、ユーザー居宅２３０内では移動機２２０は関連するＨＮＢｓ２１０と通信することが望ましい。
【００３８】
ＨＮＢｓ２１０は、フェムトセル基地局の識別のために、ここに説明されているような物理層同報チャネルを用いることができる。例えば、補助パイロットチャネル、セカンダリ共通パイロットチャネル、物理層同報制御チャネルを介して送信されるフェムトパイロット、またはこれらと同様のものが、ＨＮＢｓ２１０によって活用されることができる。そのような手法を利用することにより、移動機２２０はバッテリーパワーの消耗、アクセスの試み（およびそれによるフェムトセル捕捉における遅延）、およびこれらと同様のものを著しく低減することができる。移動機２２０は、特定のＨＮＢ２１０による物理層同報チャネル送信を得ることができ、この送信は、ＨＮＢ２１０を発見するために移動機２２０によって利用されることができる。受信された物理層同報チャネル送信に基づいて、移動機２２０は、特定のＨＮＢ２１０がフェムトセル基地局であることを認識することができる（基地局２６０からの受信信号と対比すると、これは基地局２６０をマクロセル基地局として認識するために、移動機２２０によって使用されることができる）。別の例によると、移動機２２０は、特定のＨＮＢ２１０に対応するアソシエーションのタイプを識別することができる。さらに移動機２２０は、異なるＨＮＢ（例えば、別個のＨＮＢｓ２１０、異なるＨＮＢ（ｓ）（図示せず）…）から特定のＨＮＢ２１０を区別することができる。こうして物理層同報チャネルは、特定のＨＮＢ２１０を独自に識別するために利用されることができる。反対に、従来の手法は、しばしば、同期チャネルを読み取ったり、および／または明確な登録の試みを行ったりすることを活用しており、バッテリーパワーのより大きい消耗（例えば、同期チャネルを読み取るためにモデム操作がより多く必要とされるため…）、アクセスの遅延（例えば、メッセージの交換、アクセスの試みの数による…）、等の結果となる。
【００３９】
図３を参照すると、無線通信環境においてフェムトセルシステムの効率的な選択をサポートするシステム３００が示されている。システム３００は、情報、信号、データ、命令、コマンド、ビット、シンボル、およびこれらと同様のものを送信および／または受信することができる基地局３０２を含んでいる。基地局３０２は、フォワードリンクおよび／またはリバースリンクを介して移動機３０４と通信することができる。移動機３０４は、情報、信号、データ、命令、コマンド、ビット、シンボル、およびこれらと同様のものを送信および／または受信することができる。さらにシステム３００は、異なる基地局（単数または複数）３０６をいくつでも含むことができる。異なる基地局（単数または複数）３０６はいずれのタイプの基地局をも含むことができると理解されるべきである（例えば、１つまたは複数の異なる基地局３０６はフェムトセル基地局であることができ、１つまたは複数の異なる基地局３０６はマクロセル基地局であることもできる…）。さらに、示されていないが、システム３００には、移動機３０４に類似した移動機がいくつでも含まれることができると考えられる。
【００４０】
基地局３０２はさらに、基地局３０２に関連づけられる様々な特徴を表示することができる物理層同報チャネル情報を生成することができる補助パイロット発生コンポーネント３０８を含むことができる。さらに、物理層同報チャネル情報は、物理層同報チャネルによって基地局３０２より送信されることができる。例として、補助パイロット発生コンポーネント３０８により提供される物理層同報チャネル情報は、移動機３０４により受信されることができる。さらに移動機３０４は、得られた物理層同報チャネル情報に基づいて、以下の特徴の１つまたは複数を区別することができる。例えば移動機３０４は、得られた物理層同報チャネル情報に応じて、基地局３０２がマクロセル基地局であるのか、またはフェムトセル基地局であるのか、（またはいずれの異なるタイプの基地局であるのか）を認識することができる。加えて、または代替として、移動機３０４は、受信された物理層同報チャネル情報に基づいて、異なるフェムトセル基地局（例えば、１つまたは複数の異なる基地局３０６…）から判別できる、特定のフェムトセル基地局として、基地局３０２をユニークに識別することができる。別の例によると、移動機３０４は、基地局３０２のアソシエーションのタイプを認識するために、得られた物理層同報チャネル情報を利用することができる（例えば、基地局３０２がフェムトセル基地局であると識別された場合…）。例えば、考えられるアソシエーションのタイプは、オープン、制限されている（restricted）、シグナリング、などを含むことができる。
【００４１】
移動機３０４はさらに、補助パイロット検出コンポーネント３１０、比較コンポーネント３１２、および登録コンポーネント３１４を含むことができる。補助パイロット検出コンポーネント３１０は、物理層同報チャネルをスキャンすることができる。スキャンに基づいて、補助パイロット検出コンポーネント３１０は、基地局３０２によって送られた物理層同報チャネル情報（例えば、補助パイロット発生コンポーネント３０８を介して…）および／または異なる基地局（単数または複数）３０６によって送られた物理層同報チャネル情報を識別することができる。
【００４２】
さらに比較コンポーネント３１２は、受信された物理層同報チャネル情報を評価し、それに基づいて特徴を認識することができる。例えば、比較コンポーネント３１２は、ソース基地局（例えば、基地局３０２、異なる基地局（単数または複数）３０６…）の特徴を識別するために、記憶された物理層同報チャネル情報（例えば、メモリ（図示せず）に保存された…）と受信された物理層同報チャネル情報を比較することができる。例として、比較コンポーネント３１２は、移動機３０４によるアクセスが可能なフェムトセル基地局に対応する、記憶された物理層同報チャネル情報のホワイトリスト、移動機３０４によるアクセスが不可能なフェムトセル基地局に対応する、記憶された物理層同報チャネル情報のブラックリスト、等を用いることができる。
【００４３】
さらに登録コンポーネント３１４は、比較コンポーネント３１２によってもたらされた結果に応じて、特定の基地局（例えば、基地局３０２や、異なる基地局（単数または複数）３０６の１つ…）への移動機３０４の登録を開始することができる。例によると、特定の基地局から受信された物理層同報チャネル情報が、移動機３０４によるアクセスが可能なフェムトセル基地局に対応する、記憶された物理層同報チャネル情報に一致することを比較コンポーネント３１２が認識すると（例えば、ホワイトリストによって…）、登録コンポーネント３１４は、有効なシステム識別子／ネットワーク識別子（ＳＩＤ／ＮＩＤ）を調べるために、特定の基地局に関連付けられている同期チャネルの読み取りを開始することができる。さらに、有効なＳＩＤ／ＮＩＤが識別されると、登録コンポーネント３１４は、特定の基地局への移動機３０４の登録に進むことができる。
【００４４】
ここに説明されている様々な例は、ＣＤＭＡ２０００エアーインターフェース（air-interface）に含まれる補助パイロットチャネルである物理層同報チャネルに関する。しかし、特許請求の主題はそのように限定されないことが理解されるべきである。むしろ、ここに提示されている例は、セカンダリ共通パイロットチャネル、物理層同報制御チャネルを介して送信されるフェムトパイロット等の、物理層同報チャネルに拡張されることができると考えられる。
【００４５】
補助パイロットチャネルは、従来、ビームフォーミングおよび送信ダイバーシティをサポートするために活用されていたが、ここに説明されているように、アンテナ用途でないものにも使用可能である。区別された補助パイロットウォルシュコードの組は、補助パイロットチャネル上で利用されることができる。各ウォルシュコードは、パイロットを変調するために割り当てられることができる独自のコードである。このように、独自の型（look）を持った補助パイロットが、割り当てられたウォルシュコード（例えば、基地局３０２のために補助パイロット発生コンポーネント３０８によって生成されるような…）に基づいて、任意の基地局（例えば、基地局３０２、異なる基地局（単数または複数）３０６…）によって送信されることができる。例によると、この組は、１２８ウォルシュコード（例えば、それぞれが長さ１２８…）、２５６ウォルシュコード（例えば、それぞれが長さ２５６…）、５１２ウォルシュコード（例えば、それぞれが長さ５１２…）、等を含むことができる；さらに、あるウォルシュコードは、ここに説明されているような識別目的の使用には用いることができないことがあると考えられる。さらに、復号には高速アダマール変換が利用されることができる（例えば、移動機３０４によって…）。説明として、基地局３０２がフェムトセル基地局であれば、割り当てられたウォルシュコードによって変調された補助パイロットは、フェムトセルの識別を助けるために（例えば、基地局３０２に関連付けられる特徴…）、基地局３０２によって共通パイロットに加えて送信されることができる。
【００４６】
例として、フェムトセルおよびマクロセルは、重複する擬似ノイズ（pseudo-noise: PN）オフセットを利用することがあり、このＰＮオフセットは共通パイロットチャネルによって用いられることができる。この例によると、フェムトおよびマクロＰＮオフセットのスペースは完全に重複することがあるので、移動機３０４は、基地局３０２（または別の異なる基地局（単数または複数）３０６）がマクロセル基地局であるのか、またはフェムトセル基地局であるのかを、それらから受信した共通パイロットの評価によって認識できないことがある（例えば、フェムトセル基地局に割り当てられたＰＮオフセット（単数または複数）が、マクロセル基地局に割り当てられたＰＮオフセット（単数または複数）と区別がつかないため…）。よって補助パイロットは、基地局３０２（またはいずれの異なる基地局（単数または複数）３０６）がフェムトセル基地局であることを表示するために使用されることができる（例えば、フォワードリンク（ＦＬ）を介して…）。このように、補助パイロットを使用することによりフェムトセル基地局用のＰＮオフセットの予約を回避することができる。移動機３０４はフェムトセル使用可能機であることができ、補助パイロットを連続的にスキャンすることができる（例えば、補助パイロット検出コンポーネント３１０によって…）。比較コンポーネント３１２がフェムト補助パイロット（例えば、基地局３０２からの…）を見つけると、登録コンポーネント３１４は、ＳＩＤ／ＮＩＤを調べるために同期チャネルを読み取ることができる。上記の例は、フェムトセル基地局用のＰＮオフセットを予約しなくても、ネットワーク全体にわたるＰＮの運用を変更しなくても、実現することができる。しかし、特許請求の主題はこの例に限定されないことが理解されるべきである。
【００４７】
さらなる例によると、ある補助パイロットウォルシュコードは、それぞれに対応するアソシエーションのタイプを表示するために標準化されることができ（例えば、ＣＤＭＡ開発グループ（ＣＤＧ…））、これは移動機がローミングする際に役立つことができる。このように、補助パイロットはフェムトセルに対応するアソシエーションのタイプを表示するために使用されることができる。例えば、補助パイロットウォルシュコードの第１のサブセット（例えば、第１のウォルシュコード…）はオープンアソシエーション用に予約されることができ、重複していない、補助パイロットウォルシュコードの第２のサブセット（例えば、異なる第２のウォルシュコード…）は、シグナリングアソシエーション用に予約されることができ、補助パイロットウォルシュコードの残りの有効な組は、制限されたアソシエーションを表示することができる。例えばシグナリングアソシエーションにより、移動機はコールを開始したり、またはネットワークからのコール／ページを受信したりするために、フェムトセル基地局にアクセスできるようになることができる；開始に続いて、移動機は、コールを続けるために異なる基地局（例えば、オープンアソシエーションのマクロセル基地局やフェムトセル基地局、移動機によるアクセスが可能な、制限されたアソシエーションのフェムトセル基地局…）にハンドオーバーする。さらに、１つまたは複数の補助パイロットウォルシュコードが未来の使用のために予約されることができると考えられる。上記の方式を用いることにより、移動機３０４は、同期チャネルが読み取られ、ページングを評価し、そして次に登録の失敗に遭遇するというアクセスの不要な試みをやめることができる（例えば、フェムトセル基地局に、大きな集合（set）から補助パイロットウォルシュコードが割り当てられている場合…）。
【００４８】
別の例によると、システム３００がフェムトセル基地局用に予約されるＰＮオフセットを欠いている場合がある。さらに移動機３０４が、対応するホームオペレータ地域に位置している場合がある（例えば、ローミングではなく…）。この例によると、フェムトセル基地局には、オープンアソシエーション補助パイロット、または制限アソシエーション補助パイロットのいずれもが割り当てられることができる。さらに厳密なホワイトリストが移動機によって用いられることができる（例えば、移動機３０４の比較コンポーネント３１２により使用される…）。移動機３０４が新たなＰＮオフセットを検出すると、補助パイロット検出コンポーネント３１０がフェムト補助パイロットを求めてスキャンすることができる。例えば、補助パイロット検出コンポーネント３１０は有効な補助パイロットを認識することができる。有効な補助パイロットは、ある時間窓（time window）にわたって十分に強力な、エネルギーパーチップオーバーサーマルノイズ（energy per chip over thermal noise: Ec/No）を持っているものとして定義されることができる。その後、有効な補助パイロット毎に、比較コンポーネント３１２はウォルシュコードを解析することができる。説明として、有効な補助パイロットによるウォルシュコードがオープンアソシエーションに割り当てられたウォルシュコードと一致することを比較コンポーネント３１２が識別したのであれば、登録コンポーネント３１４は、有効な補助パイロットが受信されたソースフェムトセル基地局への登録を開始することができる。登録が失敗すればエラーが宣言されることができ、比較コンポーネント３１２は、そのウォルシュコードを再評価するか、または異なる有効な補助パイロットからの異なるウォルシュコードを解析するかが可能である。さらなる例によると、有効な補助パイロットからのウォルシュコードが制限されたアソシエーション用に配分されたウォルシュコードに一致することを比較コンポーネント３１２が検出すると、そのようなウォルシュコードはホワイトリスト化され（例えば、メモリに保存される…）、そして登録コンポーネント３１４は、ソースフェムトセル基地局への登録を始めることができる。さらに、そのような登録が失敗すると、その次にエラーが宣言されることができ、比較コンポーネント３１２は、そのウォルシュコードを再解析するか、または異なる有効な補助パイロットからの異なるウォルシュコードを再調査するかが可能である。代替として、比較コンポーネント３１２が、有効な補助パイロットからのウォルシュコードが制限されたアソシエーション用に配分されたウォルシュコードに一致することを確かめるものの、そのようなウォルシュコードがホワイトリスト化されなければ、比較コンポーネント３１２は、そのウォルシュコードを再評価するか、または異なる有効な補助パイロットからの異なるウォルシュコードを解析するかが可能である。さらに、すべての補助パイロットが調べられ、登録が不成功であった場合には、補助パイロット検出コンポーネント３１０は再び有効な補助パイロット（単数または複数）を求めてスキャンすることができる。しかし、特許請求の主題は上記の例に限定されない。
【００４９】
ここに説明されている補助パイロットの利用は様々な利点を提供することができる。例えば、補助パイロットの使用は、同期チャネルの読み取り回数を減らすことができる；これは、フェムトセルでの使用のために予約されたＰＮオフセットの数が少ない（または、ＰＮオフセットがフェムトセルでの利用のために予約されていない）場合、または制限されたフェムトセル基地局の数が多い場合に役立つことができる。さらに、ここに提示されている技術は、制限されたフェムトセル基地局に割り当てられた補助パイロットがウォルシュコードの大きな集合からである場合に、アクセス／登録の失敗回数を減らすことができる；このように、制限アソシエーションタイプの有効なウォルシュコードの組が増え、ばらばらに割り当てられ／選択されると、アクセス失敗比は概して減少することができる。さらに、移動機のバッテリーパワーの消耗を低減することができる。また、無効なフェムトセル基地局を判断する時間を短縮することができ、これは同期チャネルＳＩＤ／ＮＩＤの不要な読み取りの遂行をより少なくすることができるため、および／または、ページングおよびアクセスの失敗が結果としてより少なくなるためである。これは、フェムトセル基地局のためのオフ周波数サーチ（ＯＦＳｓ）に特に役立つことができ、それによって、より早いＯＦＳサーチ時間をもたらす。加えて、チップタイミングおよび位相基準はここに説明されているような補助パイロットを活用することにより改善されることができ、これは２つ以上のフェムトセル基地局が共通ＰＮオフセットを使用して近くに密接している場合に役立つことができる。
【００５０】
図４を参照すると、示されているのは、例示的なウォルシュコードツリー４００である。ウォルシュコードツリー４００は、それぞれが長さ５１２の５１２ウォルシュコードを含むウォルシュコードスペースに関することができる。しかし、ウォルシュコードがいくつであっても、それぞれがいかなる長さであっても、それらを伴うウォルシュコードスペースの使用はここに添付される請求項の範囲内に入るものと意図される。
【００５１】
例によると、ウォルシュコードスペース（例えば、示されている長さ５１２のウォルシュコード、長さ２５６のウォルシュコード（図示せず）を含んでいる…）は分割されることができる。この例によると、ウォルシュコードの組がフェムトセル基地局用に予約されることができる。さらに、その組におけるウォルシュコードは、あるいは、以下のアソシエーションの１つを表示するために割り当てられることができる：オープンアソシエーション、制限されたアソシエーション、シグナリングアソシエーション、または異なるアソシエーション。しかし、特許請求の主題は上記の説明に限定されるものではないと意図される。
【００５２】
各ウォルシュコードは、対応するフェムトセル基地局による補助パイロット送信での使用のために、選択または割り当てられることができる。例えばウォルシュコードは、２５６、５１２、１０２４、２０４８等の長さを持つ場合がある。さらに、対応するフェムトセル基地局に選択または割り当てられた各ウォルシュコードに基づいて、ウォルシュコードノード（長さ６４や１２８）が除かれることができる。除かれたノードは、ウォルシュコードツリー４００における（上位の）補助パイロットウォルシュコードに接続される。例によると、フェムトセル基地局が、フォワードリンク読み取り能力を持つモバイルステーションモデム（ＭＳＭ）を有するのであれば、補助パイロットウォルシュコードの選択は動的であることができ、こうして、隣接フェムトセル基地局との重複を緩和する；しかし、特許請求の主題はそのように限定されない。
【００５３】
ウォルシュコードツリー４００は、ブロック化されたウォルシュコードを表示することができる。例えば、ここに説明されているシステムの識別および選択に利用するために、対応する補助パイロットウォルシュコードとして、フェムトセル基地局がＷＦ５１２（Ｆは１から５１２の間の整数である）を選択し、または割り当てられているのなら、ＷＡ６４（Ａは１から６４の整数である）はそのフェムトセル基地局によって使用されることはできない。示されているように、ＷＡ６４は、ウォルシュコードツリー４００においてＷＦ５１２の上にある。より詳細には、ＷＦ５１２は、８個のＷＡ６４コードの独自の連鎖である。例えば、ＷＦ５１２＝［ｄ１ＷＡ６４，ｄ２ＷＡ６４，ｄ３ＷＡ６４，…，ｄ８ＷＡ６４］。
【００５４】
隣接フェムトまたはマクロトラフィックチャネルを補助パイロットと取り違えるのを軽減するために、長さ２５６またはそれよりも長いウォルシュコードが補助パイロットチャネル用に用いられることができる（例えば、長さ２５６、５１２、１０２４、２０４８のウォルシュコード…）。補助パイロットチャネルおよび送信ダイバーシティ補助パイロットチャネル以外の他のチャネルに一般的に使用されるウォルシュコードは、最長１２８であることが多い。したがって、ウォルシュコードは受信移動機（単数または複数）によって区別可能であることができる。
【００５５】
別の例によると、マクロセル基地局とフェムトセル基地局の両方が補助パイロットを使用する場合に混乱を避けるため、有効な補助パイロットウォルシュコードのスペースは分割することができる。例えば、有効な補助パイロットウォルシュコードのスペース内の第１のサブセットはフェムトセルでの使用に配分されることができる一方、有効な補助パイロットウォルシュコードのスペース内の第２のサブセットはフェムトセルでの利用でないものに当てられることができる。例として、第１のサブセットおよび第２のサブセットは重複しないことができる；しかし、特許請求の主題はそのように限定されない。
【００５６】
図５を参照すると、無線通信環境においてフェムトセルシステムの識別および選択のために共通パイロットおよび補助パイロットを活用するシステム５００が示されている。システム５００は基地局３０２および移動機３０４を含む。示されていないが、システム５００はまた、異なる基地局（例えば、図３の異なる基地局（単数または複数）３０６…）をいくつでも、および／または異なる移動機をいくつでも含むことができると考えられる。
【００５７】
基地局３０２は、共通パイロット発生コンポーネント５０２および補助パイロット発生コンポーネント３０８を含むことができる。共通パイロット発生コンポーネント５０２は、特定のＰＮオフセットによりパイロットシーケンス（例えば、共通パイロットシーケンス…）を生成することができる。ネットワークの構成によって、可能性のあるＰＮオフセットの組は２５６ＰＮオフセットまたは５１２ＰＮオフセットを含むことができる；しかし、可能性のあるＰＮオフセットがいくつあっても、その使用はここに添付の請求項の範囲内に入るものと意図される。特に基地局３０２がマクロセル基地局である場合、共通パイロット発生コンポーネント５０２によって利用される特定のＰＮオフセットによって、基地局３０２は特定の地理的領域においてまったく独自に識別されることができるようになる。さらに、基地局３０２がフェムトセル基地局である場合、可能性のあるＰＮオフセットの組からの任意のＰＮオフセットが、同様に共通パイロット発生コンポーネント５０２によって利用されることができる。
【００５８】
可能性のあるＰＮオフセットのサブセットはフェムトセルでの使用のために予約されることができる。例によると、可能性のあるＰＮオフセットの組からの、１つのＰＮオフセット、３つのＰＮオフセット、６つのＰＮオフセット、または実質的にいくつのＰＮオフセットでもフェムトセルでの使用のために予約されることができる。このように、基地局３０２がフェムトセル基地局である場合には、共通パイロット発生コンポーネント５０２は、フェムトセル用に用いられる可能性のあるＰＮオフセットの予約サブセットからの任意のＰＮオフセットを伴うパイロットシーケンスを生成することができる。例えば、任意のＰＮオフセットは共通パイロット発生コンポーネント５０２（または一般に基地局３０２）により選択されたり、基地局３０２に割り当てられたり、等が可能である。しかし、特許請求の主題は予約されたＰＮオフセット（単数または複数）の使用に限定されないことが意図される。
【００５９】
さらに移動機３０４は、共通パイロット評価コンポーネント５０４、補助パイロット検出コンポーネント３１０、比較コンポーネント３１２、および登録コンポーネント３１４を含むことができる。共通パイロット評価コンポーネント５０４は、基地局３０２の共通パイロット発生コンポーネント５０２によって生成されたパイロットシーケンスを受信することができる。さらに、共通パイロット評価コンポーネント５０４は受信されたパイロットシーケンスからＰＮオフセットを識別することができる。共通パイロット評価コンポーネント５０４は、識別されたＰＮオフセットがマクロセル基地局またはフェムトセル基地局のどちらに関連付けられているのかを判別することができる（例えば、識別されたＰＮオフセットがフェムトセルでの使用のために予約されたＰＮオフセットと一致するかどうかを解析する…）。共通パイロット評価コンポーネント５０４が特定の基地局（例えば、基地局３０２…）からフェムトセルでの使用のために予約されたＰＮオフセットを見つけると、補助パイロット検出コンポーネント３１０は補助パイロットスキャンを開始することができる（例えば、補助パイロットチャネル送信用に特定の基地局によって利用されているウォルシュコードの認識、評価、等）。さらに、比較コンポーネント３１２によって認識されるような望ましい（目標の）補助パイロットを検出すると、移動機３０４の登録コンポーネント３１４はＳＩＤ／ＮＩＤを調べるために同期チャネルを読み取ることができる。
【００６０】
補助パイロットがない事例と比較すると、上記の例は同期チャネルの不要な読み取り回数を減らすことができ、それはアクセス時間を短縮し、かつ移動機３０４のバッテリーの寿命を向上することができる。さらに、システム５００に関連して、オフ周波数サーチ（ＯＦＳｓ）が遂行される速度を増すことができる。さらに、補助パイロットを介して搬送される情報を評価することにより、移動機３０４は１ショットで複数のフェムトセル基地局のより精細な情報を見つけることができる。従来のＯＦＳ技術は一般的に、最強のパイロットを探すこと、そしてそのパイロットに関連付けられるより精細な情報を得るために同期チャネルを読み取ることを活用する；対照的に、システム５００は共通パイロットおよび補助パイロットを評価することを介して、複数の基地局のより精細な情報の収集をサポートすることができる。また、共同チャネル（co-channel）のスキャンの事例では、移動機は一般に任意の時間に１つの同期チャネルを読み取ることしかできない。
【００６１】
以下にシステム５００に関連付けられる様々な態様を示すシナリオ例を提供する；しかし、特許請求の主題はこの例に限定されないことが理解されるべきである。以下の想定はこのシナリオ例の一部としてなされることができる。例えば、あるＰＮオフセットはフェムトセル基地局用に予約されることができる。さらに、移動機３０４はホームオペレータ地域にあることができる（ローミングではなく）。さらに、基地局３０２は、フェムトセル基地局であることができ、識別に利用される補助パイロットウォルシュコードが割り当てられていることができる；例えば、基地局３０２にはＸ個の長さ５１２ウォルシュコードの中から１つが割り当てられている場合があり、Ｘは５１２以下の整数であることができる（例えば、Ｘは２００であることができる）。また、シナリオ例では、ウォルシュコードはアソシエーションのタイプを識別する必要はなく、システム５００において厳密なホワイトリストが利用されることができると想定することができる。このシナリオに従って、共通パイロット評価コンポーネント５０４は、共通パイロットを受信および解析することができ、それに対応するＰＮオフセットを識別することができる。共通パイロット評価コンポーネント５０４がフェムトセルでの利用のために予約されたＰＮオフセットを見つけると、補助パイロット検出コンポーネント３１０はフェムト補助パイロット（単数または複数）を探すことができる（例えば、フェムトセルでの利用のために予約されたＰＮオフセットが識別されると、一般的に１つ見つけられるべきである…）。見つけられた補助パイロットごとに、比較コンポーネント３１２はホワイトリストの中のウォルシュコード（単数または複数）とフェムト補助パイロットウォルシュコードを比較することができ、かつ一致するものが見つけられたのであれば、登録コンポーネント３１２は有効なＳＩＤ／ＮＩＤを調べるために同期チャネルを読み取ることができる。そのＳＩＤ／ＮＩＤが有効であれば、登録コンポーネント３１４は移動機３０４の登録に進むことができる（例えば、追加のフェムトセル関連情報を提供するために一般的に補助パイロットを使用することができない従来技術において行われるように…）。さらに、そのＳＩＤ／ＮＩＤが無効であれば、エラーが宣言され、移動機３０４（例えば、比較コンポーネント３１２…）はホワイトリストのデータベースを更新することができ、比較コンポーネント３１２は見つけられた補助パイロットを再評価したり、または見つけられた異なる補助パイロットを解析したりすることができる。さらに、フェムト補助パイロットウォルシュコードが、比較コンポーネント３１２によって認識されるときにホワイトリストにないのであれば、比較コンポーネント３１２は見つけられた補助パイロットを再解析したり、または見つけられた異なる補助パイロットを評価したりすることができる。見つけられたすべての補助パイロットが処理されるまで上記は繰り返されることができる；その後、移動機３０４は再度フェムトセル基地局用に予約されたＰＮオフセット（単数または複数）を探すことができる。しかし、特許請求の主題は上記のシナリオ例に限定されないと理解されるべきである。
【００６２】
フェムトシステムの検出または位相基準の発生を支援するために、追加のパイロットとして補助パイロット（例えば、補助パイロット発生コンポーネント３０８によって生成される…）が使用されることができる。より強力で、より確実な位相基準を提供することを利益に含むことができ、これはフェムト対フェムトの干渉がより大きい場合に特に役立つことができる。例えば、２つ以上のフェムトセル基地局が密接して同じＰＮオフセットを使用する場合、補助パイロットはより確実な位相基準の発生に役立つことができる（区別された補助パイロットがこれらのフェムトセル基地局のそれぞれによって用いられると想定して）。従来から、移動機は、システムの捕捉および他のチャネルの緊密な検出のために共通パイロットを使用している；このように、そのような一般の手法では、２つ以上のフェムトセル基地局が同じＰＮオフセットを使用する場合、移動機は共通パイロットを、マルチパスであっても単一のパイロットとして解釈することができる。さらに対照的に、共通パイロットと補助パイロットを使用すると、より精確なチップタイミング基準を作成することができ、これは他のチャネルの検出を改善することができる（例えば補助パイロットであるが、これは変調されないことができ、除去されることができる…）。
【００６３】
ここで、図６を参照すると、無線通信環境においてフェムトセル基地局に関連付けられる特徴を識別するために補助パイロットを用いるシステム６００が示されている。システム６００は基地局３０２を含み、これはさらに補助パイロット発生コンポーネント３０８を含むことができ、さらに移動機３０４を含み、これはさらに補助パイロット検出コンポーネント３１０、比較コンポーネント３１２、および登録コンポーネント３１４を含むことができる。さらに、示されていないが、基地局３０２は共通パイロット発生コンポーネント（例えば、図５の共通パイロット発生コンポーネント５０２…）もまた含むことができ、および／または移動機３０４は共通パイロット評価コンポーネント（例えば、図５の共通パイロット評価コンポーネント５０４…）をさらに含むことができると意図される；しかし、特許請求の主題はそのように限定されない。
【００６４】
基地局３０２は、基地局３０２による使用のためのウォルシュコードの組から割り当てウォルシュコードを選択する、または得る、コード割り当てコンポーネント６０２をさらに含むことができる。例えば、コード割り当てコンポーネント６０２は割り当てウォルシュコードを明示するユーザーインプットを受信することができる。別の例によると、割り当てウォルシュコードは、ベンダーによってプログラミングされることができる（例えば、コード割り当てコンポーネント６０２を介して…）。さらなる例として、コード割り当てコンポーネント６０２は、基地局３０２用の割り当てウォルシュコードを動的に決定することができる。この例によると、コード割り当てコンポーネント６０２は、基地局３０２によって利用されるウォルシュコードを動的に選択するために、モバイルシステムモデム（ＭＳＭ）を活用することができる。例えば、動的な選択は、異なる基地局（例えば、異なるフェムトセル基地局…）からの補助パイロットをスキャンし、見つけることで、基地局３０２のＭＳＭから送り返された結果に基づくことができる。したがって、これらの異なる基地局によって利用されるウォルシュコード（単数または複数）以外のウォルシュコードは、それに応じてコード割り当てコンポーネント６０２によって自動でおよびまたは手動で選択されることができる。
【００６５】
移動機３０４は、加入コンポーネント６０４、メモリ６０６、およびスキャン開始コンポーネント６０８をさらに含むことができる。加入コンポーネント６０４は、移動機３０４によってアクセスすることができるフェムトセル基地局（単数または複数）に関連する情報を得ることができる。例えば加入コンポーネント６０４は、アクセス可能なフェムトセル基地局（単数または複数）（例えば、基地局３０２、異なるフェムトセル基地局（図示せず）…）によって利用される補助パイロットウォルシュコードを収集することができる。その後、比較コンポーネント３１２は加入コンポーネント６０４によって識別された補助パイロットウォルシュコードを活用することができる。このようにして、移動機３０４が探すべきウォルシュコードは知られ得る。加入コンポーネント６０４は、自動でおよび／または手動でウォルシュコードを収集することができる。例えばウォルシュコードは、ネットワークによって準備されたり、ユーザーによって入力されたり（例えば、ユーザーインターフェースを介して加入コンポーネント３０４に提供されたり…）、移動機３０４によって自動で学習されたり、等ができる。
【００６６】
さらに、加入コンポーネント６０４によって得られたウォルシュコードは、メモリ６０６に保存されることができる。メモリ６０６に記憶されたウォルシュコードは更新されることができる；このように、ウォルシュコードは追加されたり、除かれたり、等ができる。例えば、比較コンポーネント３１２が、メモリ６０６によって保存されたウォルシュコードと受信補助パイロットウォルシュコードが一致することを見つけ、かつ登録コンポーネント３１４が同期チャネルを読み取って無効なＳＩＤ／ＮＩＤを得た場合、保存されたウォルシュコードはメモリ６０６から削除される；しかし、特許請求の主題はそのように限定されない。メモリ６０６は、移動機３０４によってアクセス可能なフェムトセル基地局（単数または複数）用のウォルシュコードのホワイトリスト、移動機３０４によってアクセス不可能なフェムトセル基地局（単数または複数）用のウォルシュコードのブラックリスト、それらの組合せ、等を保存することができると理解されるべきである。例によると、ホワイトリストが用いられる場合、リストにないエントリーは暗にブラックリストであるとみなされることができる；しかし、特許請求の主題はこのように限定されない。
【００６７】
スキャン開始コンポーネント６０８は、移動機３０４がフェムトセル基地局を求めてスキャンを開始できるようにすることができる。例えば、スキャン開始コンポーネント６０８は、スキャンが始まるようにするために、オフ周波数サーチ（ＯＦＳ）や、モバイルアシストによる発見および選択用のデータベース（例えば、プリファードユーザーゾーンリスト（preferred user zone list: PUZL）…）や、それらの組合せ、等を使用することができる。例として、ＰＵＺＬは、望ましいフェムトセル基地局を求めていつスキャンを開始するべきかを移動機が認識するのを支援する、メモリ６０６に保存されたデータベースであることができる（例えば、加入者の家の近くに位置するマクロセル基地局が検出されている場合…）。別の例によると、ＯＦＳは、移動機３０４によって以前にアクセスされたことがないフェムトセル基地局を位置特定しようとする際に活用されることができる。例によると、スキャン開始コンポーネント６０８は、インプット（例えば、ユーザーインプット…）に応じて、フェムトセル基地局を求めてサーチを開始したり、フェムトセル基地局を求めてスキャンを開始したり、等が自動的にできる。スキャン開始コンポーネント６０８によって始動する、フェムトセル基地局のサーチは、同期チャネルを読み取ること（例えば、ＳＩＤ／ＮＩＤ情報を得るために…）よりもむしろ、補助パイロットチャネルをスキャンすること（例えば、補助パイロット検出コンポーネント３１０によって…）を含むことができる。フェムトセル基地局の補助パイロット情報（例えば、ウォルシュコード…）が、局所的に記憶された補助パイロット情報（例えば、メモリ６０６に記憶された保存ウォルシュコード）に一致するのであれば、登録コンポーネント３１４は同期チャネルの読み取りを開始することができる。
【００６８】
ここに説明されている技術に関連付けられる異なる態様が様々な他の例により示される。以下はこれらの例のほんのわずかである；しかし、特許請求の主題は以下の例に限定されないことが意図される。
【００６９】
例によると、移動機３０４は補助パイロットウォルシュコードの開始ポイントを識別する必要がある場合がある（例えば、図５の共通パイロット評価コンポーネント５０４といった共通パイロット評価コンポーネントによって、特定のＰＮオフセットを伴う共通パイロットを検出した後…）。補助パイロット検出コンポーネント３１０によって、複数の補助パイロットがサンプリングされることができる（例えば、複数の５１２チップの積分…）。誤りアラームの確率（P_FA）および／またはミスの確率（P_Miss）を低減するために複数の補助パイロットがサンプリングされることができる。そのような状況下では移動機３０４は同期チャネルの読み取りを試みることができ、それによって、送り返されたＳＩＤ／ＮＩＤが一致するものを提供しないことを識別するため、誤りアラームは許されることができる。したがって、技術によって主にミスの軽減を試みることができると同時に誤りアラームを低減する。
【００７０】
以下の起こり得る誤認シナリオを避けるために例の数を増やすことができる。移動機３０４がスキャン中の目標の補助パイロットウォルシュコードと、ほとんど同一のウォルシュコードを使用する隣接マクロセル基地局を、移動機３０４がスキャンするシナリオを考える。例えば、隣接マクロセル基地局によって使用されているウォルシュコードのウォルシュコードツリーがより高くなる場合がある（例えば、図４のウォルシュコードツリー４００…）；一例によると、そのようなウォルシュコードはフォワードリンクファンダメンタルチャネル（Ｆ−ＦＣＨ）用に隣接マクロセル基地局によって使用されていることがある。（Ｆ−ＦＣＨの）長さ６４のウォルシュコードを変調している符号化ビットのシーケンスによって、目標の補助パイロットウォルシュコードとの相互相関は、[-1, 1] の範囲で変動し得る。
【００７１】
上記のシナリオを回避するため、補助パイロット検出コンポーネント３１０（または一般に移動機３０４）は緊密な検出を実行することができる。さらに、補助パイロットウォルシュコードの検出を試みる際、補助パイロット検出コンポーネント３１０は複数の積分区間を使用することができる。補助パイロット以外の信号が変調されることができ、かつすべてが１の、またはすべてが０の符号化ビットの尤度が積分区間長に伴って減少するため、複数の区間が活用されることがある。このように、補助パイロットの検出の確実性を増すために、複数の補助パイロット期間がサンプリングされることができる検出方式が用いられることができる（例えば、合計２０４８チップとなる、連続する４つの５１２チップ期間…）。さらに基地局３０２はフェムト補助パイロットに、より大きな送信パワー比を配分することができる。さらに、共通パイロットに対するフェムト補助パイロットのパワー比はあらかじめ決められることができ、かつ移動機に知られることができる（例えば、補助パイロット検出コンポーネント３１０…）。さらに、基地局によって送られる、共通パイロットに対する補助パイロットの送信パワー比が決定され得ることが意図される。送信パワー比は例えば、移動機３０４においてP_Missに対するP_FA比を管理するために調整されることができる。加えて、または代替として、検出された信号は、他のチャネルに関連付けられる特性を識別するために調べられることができる。例えば、Ｆ−ＦＣＨパワーレベルは、音声フレームレートにしたがって２０msecフレームごとに変化することができる。さらに、Ｆ−ＦＣＨは、Ｆ−ＦＣＨビットの中にパンクチャされるフルパワー送信パワー制御（full-power transmit power control: TPC）ビットを有することができる。
【００７２】
別の例によると、ここに説明されている技術に関連してローミングがサポートされることができる。例えば、ネットワークオペレータが、異なるアソシエーションのタイプを識別するための補助ウォルシュコードの異なる割り当て、フェムトセル基地局とマクロセル基地局間のウォルシュコードスペースの異なる分割部分（例えば、ビームフォーミングを使用して…）、またはこれらと同様のものを利用しているのであれば、プリファードローミングリスト（preferred roaming list: PRL）ローミング表示器がオンになると（例えば、移動機がローミングしている…）、システムの選択のための補助パイロットウォルシュコードの利用を禁止にすることができる。別の例によると、補助パイロット用のスペースの分割の仕方は標準化されることができる（例えば、フェムト対マクロ対ビームフォーミング用途…）。しかし、特許請求の主題はこのように限定されないものと理解されるべきである。
【００７３】
別の例として、フェムトセル基地局によって使用される補助パイロットウォルシュコードは移動機によって自動で習得されることができる。例えば、移動機は受信された長さ５１２のウォルシュコードをリストに入れることができ、かつ最強のウォルシュコードが、それが正しいフェムト補助パイロットからであることを追認するために選択され、かつテストされることができる；もし正しくなければ、移動機は次の最強の長さ５１２ウォルシュコード、等に進むことができる。さらに、上記は、ウォルシュコードツリーの一番上から左右交互に降りることによる巧妙なサーチによって改善され得る（例えば、長さ４のエネルギーを探し、見つかったら次に長さ８のウォルシュコードに行く、等…）。
【００７４】
さらなる例によると、補助パイロットを使用する、ここに説明されている技術は、既存の解決手段のサポートによることができる（例えば、従来技術と補完的である…）。別の説明として、干渉の除去は、ここに説明されている手法に関連して共通パイロットと補助パイロット（例えば、変調されていない…）の両方に応用されることができる。加えて、または代替として、複数の補助パイロットがフェムトセル基地局において利用されることができることも意図される；例えば、1つの補助パイロットは、基地局がフェムトセル基地局であることを識別するために用いられることができ、かつ別の補助パイロットは、アソシエーションのタイプ、またはフェムトセル基地局の同一性を表示するために利用されることができる。
【００７５】
別の例によると、補助パイロットフィールドは、ＰＵＺＬ、ＧＮＬＭ、転送メッセージサービス、およびこれと同様のものに追加されることができる。例えば、フィールドは補助パイロット情報に関連するＰＵＺＬデータベース（例えば、ホワイトリスト、ブラックリスト中…）に追加されることができる；しかし、特許請求の主題はそのように限定されない。
【００７６】
別の例として、同時に送信された２つ以上の補助パイロットの組合せが各フェムトセル基地局によって使用されることができる。例えば、２つのウォルシュコード、各５１２の長さの組合せが、任意のフェムトセル基地局によって使用されているのであれば、５１２！／（２！＊５１０！）＝１３０，８１６通りの可能な組合せが提供されることができる。例によると、第１のウォルシュコードが第１の期間にフェムトセル基地局によって使用されることができ、かつ第２のウォルシュコードが第２の期間にフェムトセル基地局によって使用されることができる、等である。さらにパイロットの衝突を避けるために、可能な補助パイロットウォルシュコードのペアを定めるために制約が課されることができる（例えば、ペアは［ＷＹＮ，Ｗ（Ｙ＋Ｎ／４）Ｎ］のような組であることができ、Ｗは特定のウォルシュコード、Ｎはウォルシュコードスペース中の可能なウォルシュコードの数、Ｙは指数である…）。
【００７７】
ここに説明されている例の多くは補助パイロットの使用に関するが、別のフェムトパイロットが利用されることができると意図される。例えば、フェムトパイロットは物理層同報制御チャネルを介して送信されることができ、これは基地局がフェムトセル基地局であること、アソシエーションのタイプ、同一性を表示している情報（例えば、８ビット…）、および／または別の異なる情報を搬送するために変調されることができる。説明として、送信は、多くの可能な変調技術の１つ（例えば、オンオフ変調（On-Off-Keying: OOK）…）、多数の異なるブロックコードの１つ（例えば、エラー検出および／またはエラー訂正のためのハミングコード…）、等を使用しているチャネルを介して送られることができる。
【００７８】
また、特許請求の主題は、特にフェムトセル基地局は室内にある傾向にあり、典型的には動かない（またはゆっくり動く）移動機をサポートするために通常用いられるので、より長い長さのウォルシュコードが利用されることができることを意図している。したがって、１０２４、２０４８等といった長さのウォルシュコードが活用されることができる。
【００７９】
別の例によると、ここに説明されている様々な態様に関連して、ネットワークコマンドが紹介される。例えば、ネットワークコマンドは、補助パイロット送信を可能および／または不可能にするために、補助パイロットウォルシュコード選択モードを変えるために、または任意のフェムトセル基地局によって使用される特定の補助パイロットウォルシュコードに関連するレポートを提供するために、フェムトセル基地局によって使用されることができる。さらに、ネットワークコマンドは、補助パイロットの検出および／または設定、変更、等、オープンアソシエーションやシグナリングアソシエーション等のための補助パイロットの定義を可能および／または不可能にするために、移動機によって利用されることができる。
【００８０】
さらに、ここに説明されている技術は、ＤＯ、ＬＴＥ、ＵＭＢ、ＵＭＴＳ、ＷｉＭＡＸ等といった他の規格に拡張されることができるが、それらに限定されない。例えば、ＵＭＴＳにおいてプライマリ共通パイロットチャネル（Primary Common Pilot Channel：CPICH）に加えて長さ２５６の別のコードを伴うセカンダリ共通パイロットチャネルの使用が利用されることができる。しかし、特許請求の主題はそのように限定されない。
【００８１】
図７〜８を参照すると、フェムトセルシステムの検出および選択に関する方法が示されている。説明を簡潔にするために、方法は一連の動作として示され、説明されているが、方法は動作の順序によって限定されないことが理解され、認識されるべきである。というのも、いくつかの動作は、１つまたは複数の実施形態にしたがって、ここに示され、説明されているのとは異なる順序で、および／または他の動作と同時に起こることがあるからである。例えば、方法は代替として、一連の相互に関連する状態または事象として、状態図等で表すことができることを当業者は理解し、認識するだろう。さらに、１つまたは複数の態様にしたがって方法を実施するために、例示したすべての動作が必要とされるわけではない。
【００８２】
図７によると、無線通信環境においてフェムトセル基地局を検出することを容易にする方法論７００が示されている。７０２では、補助パイロットチャネルは基地局から送られる補助パイロットチャネル情報を識別するためにスキャンされることができる。例として、基地局はフェムトセル基地局であることができる；しかし、基地局は異なるタイプの基地局であることもできると意図される。例えば、識別された補助パイロットチャネル情報は、可能なウォルシュコードの組からの特定の認識されたウォルシュコードを含むことができる。この組の中の各ウォルシュコードは２５６、５１２、１０２４、２０４８等の長さを有することができる。説明として、この組はそれぞれが長さ５１２の、Ｘ個の可能なウォルシュコードを含むことができ、Ｘは５１２以下の整数であることができる；しかし、特許請求の主題はそのように限定されない。
【００８３】
７０４では、基地局の特徴を検出するために、識別された補助パイロットチャネル情報は記憶された補助パイロットチャネル情報と比較されることができる。基地局の特徴は、基地局のタイプ（例えば、フェムトセル基地局、マクロセル基地局…）、基地局のアソシエーションのタイプ（例えば、オープンアソシエーション、制限されたアソシエーション、シグナリングアソシエーション…）、基地局に対応する独自の同一性（例えば、他の（単数または複数）フェムトセル基地局から基地局を区別するための…）、それらの組合せ、等であることができる。さらに、記憶された補助パイロットチャネル情報は１つまたは複数の既定のウォルシュコードを含むことができる。例えば、既定のウォルシュコードはホワイトリストに含まれることができ、こうして、既定のウォルシュコードの１つ１つは、それぞれの、アクセス可能なフェムトセル基地局（例えば、制限されたアソシエーションの…）に対応している。別の説明として、既定のウォルシュコードはブラックリストに含まれることができ、規定のウォルシュコードの１つ１つは、それぞれの、アクセス不可能なフェムトセル基地局（例えば、制限されたアソシエーションの…）に対応している。加えて、または代替として、既定のウォルシュコードは、オープンアソシエーションを表示する第１の予約ウォルシュコードおよび／またはシグナリングアソシエーションを示す第２の予約ウォルシュコードを含むことができる。さらに、特定の、認識されたウォルシュコードが既定のウォルシュコードの１つに一致するかどうかを評価することによって、識別された補助パイロットチャネル情報は記憶された補助パイロットチャネル方法と比較されることができる；基地局の特徴は、一致するものが識別されるか否かに応じて検出されることができる。さらに、記憶された補助パイロットチャネル情報（例えば、１つまたは複数の既定のウォルシュコード…）は、ネットワークによって準備されたり、ユーザーインプットを介して得られたり、自動で学習されたり、等ができる。
【００８４】
７０６では、大まかな基地局同一性関連情報を提供する同報チャネルが、基地局の検出された特徴に基づいて読み取られることができる。大まかな基地局同一性関連情報を提供する同報チャネルは例えば、同期（Sync）チャネルであることができる。例えば、検出された特徴が、基地局がオープンアソシエーションを用いているということであれば、同期チャネルが読み取られることができる。さらに、検出された特徴が、基地局が制限されたアソシエーションを利用しているということであれば、基地局がアクセス可能であると認識される場合は同期チャネルが読み取られる（例えば、特定の、認識されたウォルシュコードがホワイトリストに含まれている既定のウォルシュコードに一致する、またはブラックリストに含まれている既定のウォルシュコードに一致しない場合…）。同期チャネルは、基地局に対応する有効な識別子（例えば、システムの識別／ネットワークの識別（ＳＩＤ／ＮＩＤ）…）を調べるために解析されることができる。識別子が有効であると認識されると、基地局への登録が実行されることができる；そうでなければ、識別子が無効であると識別されると、エラーが宣言され、かつ記憶された補助パイロットチャネル情報は更新されることができる。
【００８５】
別の例によると、共通パイロットチャネルは、フェムトセル基地局用に予約された擬似ノイズ（ＰＮ）オフセットを探すために評価されることができる。無線通信環境においてＰＮオフセットの組（例えば、この組は２５６ＰＮオフセット、５１２ＰＮオフセットを含むことができる…）が利用されることができ、かつＰＮオフセットのサブセットはフェムトセル基地局の識別のために予約されることができると意図される。例えば、サブセットは１個の予約ＰＮオフセット、３個の予約ＰＮオフセット、６個の予約ＰＮオフセット等を含むことができる。さらに、フェムトセル基地局用に予約されるＰＮオフセットが検出されると、補助パイロットチャネルのスキャンが開始されることができる。さらなる例によると、ＰＮオフセットがフェムトセル基地局用に予約される必要がない；この例によると、補助パイロットチャネルが連続的にスキャンされることができる。特許請求の主題は上記の例に限定されないものと意図される。
【００８６】
さらなる例として、補助パイロットチャネルのスキャンは、モバイルアシストによる発見および選択用のデータベースに保存された位置特定関連情報（例えば、好ましいユーザーゾーンリスト（preferred user zone list：ＰＵＺＬ）データベース…）に基づいて開始され得る。別の例によると、補助パイロットチャネルのスキャンは、オフ周波数サーチ（off frequency search：ＯＦＳ）に応じて開始され得る。例えば、ＯＦＳは、任意の移動機によって以前にアクセスされたことのないフェムトセル基地局を見つけるために、自動でおよび／または手動で開始され得る。しかし、特許請求の主題は上記の例に限定されないものと理解されるべきである。
【００８７】
ここで図８を参照すると、無線通信環境において１つまたは複数の移動機にフェムトセル基地局関連情報を流布することを容易にする方法８００が示されている。８０２では、ウォルシュコードの組からのウォルシュコードは、基地局の特徴に応じて選択されることができる。例えば、基地局はフェムトセル基地局であることができる。さらに、この組の中の各ウォルシュコードは２５６、５１２、１０２４、２０４８等の長さを有することができる。説明として、この組はＸ個の可能なウォルシュコードを含むことができ、それぞれが長さ５１２で、Ｘは５１２以下の整数であることができる；しかし、特許請求の主題はそのように限定されない。基地局の特徴は、基地局のタイプ（例えば、フェムトセル基地局、マクロセル基地局…）、基地局のアソシエーションのタイプ（例えば、オープンアソシエーション、制限されたアソシエーション、シグナリングアソシエーション…）、基地局に対応する独自の同一性（例えば、他のフェムトセル基地局（単数または複数）から基地局を区別するための…）、それらの組合せ、等であることができる。例によると、組からの第１の予約ウォルシュコードは、基地局によってオープンアソシエーションが活用されていることを表示するために選択されることができ、および／または組からの第２の予約ウォルシュコードは、基地局によってシグナリングアソシエーションが利用されていることを表示するために選択されることができる。さらなる例によると、ウォルシュコードの組からのウォルシュコードは基地局に割り当てられることができる（例えば、ユーザーによってプログラミングされたり、ベンダーによって設定されたり、動的に決定されたり…）。８０４では、独自の補助パイロットは選択されたウォルシュコードに基づいて発生させられることができる。８０６では、独自の補助パイロットは特徴を表示するために少なくとも１つの移動機に同報されることができる。少なくとも１つの移動機はシステムの検出および選択のために、表示された特徴を利用することができる。
【００８８】
別の例によると、フェムトセル基地局用に予約された擬似ノイズ（ＰＮ）オフセットは選択されることができる。ＰＮオフセットの組（例えば、この組は２５６ＰＮオフセット、５１２ＰＮオフセットを含むことができる…）は無線通信環境において利用されることができ、かつＰＮオフセットのサブセットはフェムトセル基地局の識別用に予約されることができるものと意図される。例えば、サブセットは１個の予約ＰＮオフセット、３個の予約ＰＮオフセット、６個の予約ＰＮオフセット等を含むことができる。さらに、選択されて予約されたＰＮオフセットを組み込んだ共通パイロットは、少なくとも１つの移動機に送信されることができる；選択されて予約されたＰＮオフセットを含むものは基地局がフェムトセル基地局であることを示すことができる。さらなる説明として、フェムトセル基地局用に予約されるＰＮオフセット（単数または複数）は無線通信環境内で活用されなくてはならないわけではない。
【００８９】
ここに説明されている１つまたは複数の態様にしたがって、無線通信環境において基地局の識別および／または選択のための情報を転送するために同報制御チャネルを使用することについて推論することができることが理解されるであろう。ここに使用されているように、「推論する」または「推論」という用語は一般に事象および／またはデータによって得られるような一連の観察によって、システム、環境、および／またはユーザーの状態について論理的に考える、または推論するプロセスのことを言う。推論は、具体的な文脈または動作を明らかにするために用いられることができ、または、例えば状態に関する尤度分布を生成することができる。推論は確率的であることがある、つまりデータおよび事象の考察に基づいた、関与するところの状態に関する尤度分布の計算である。推論とはまた、一連の事象および／またはデータからより上位のレベルの事象を作り出すために用いられる技術のことを言うこともできる。事象に緊密な時間的近接における相関性があろうとなかろうと、および事象とデータが１つまたはいくつかの事象およびデータソースに由来しようと、そのような推論は一連の観察された事象および／または記憶された事象データからの新たな事象または動作の構築をもたらす。
【００９０】
例によると、上記の１つまたは複数の方法は、隣接フェムトセル基地局（単数または複数）によって利用されていると識別されたウォルシュコード（単数または複数）に基づいて、フェムトセル基地局によって用いられる可能性のあるウォルシュコードの組から特定のウォルシュコードを決定することに関係して推論することを含むことができる。さらなる説明として、特定のフェムトセル基地局によって利用されるウォルシュコードを自動で決定することに関連して推論することができる。上記の例は例示的な性質のものであり、行うことができる推論の数、またはここに説明している様々な実施形態および／または方法とともにそのような推論を行うやり方を制限するつもりではないものであることが理解されるであろう。
【００９１】
図９は、無線通信システムにおいて基地局の特徴を認識するために補助パイロットチャネルを評価する移動機９００の説明図である。移動機９００は、例えば受信アンテナ（図示せず）から信号を受信し、かつその受信信号に典型的なアクション（例えば、フィルタリング、増幅、ダウンコンバート、等）を行い、かつサンプルを得るためにその調整された信号をディジタル化する、受信機９０２を含む。受信機９０２は例えばＭＭＳＥ受信機であることができ、チャネルの推定のために受信シンボルを変調することができてプロセッサ９０６にそれらを提供することができる変調器９０４を含むことができる。プロセッサ９０６は、受信機９０２によって受信された情報の解析および／または送信機９１６による送信のための情報発生に供されるプロセッサであることができ、移動機９００の１つまたは複数のコンポーネントを制御するプロセッサであることができ、および／または受信機９０２によって受信された情報の解析や送信機９１６による送信のための情報発生も、移動機９００の１つまたは複数のコンポーネントの制御もするプロセッサであることができる。
【００９２】
移動機９００はさらに、プロセッサ９０６に動作可能に連結されていて、かつ送信されるデータ、受信されたデータ、およびここに示されている様々なアクションおよび機能の実行に関連する任意の他の相応情報を記憶することができるメモリ９０８（例えば、図６のメモリ６０６…）を含むことができる。メモリ９０８は例えば、補助パイロットチャネルの評価、記憶された補助パイロットチャネル情報と受信された補助パイロットチャネル情報の比較、等に関連付けられるプロトコルおよび／またはアルゴリズムを記憶することができる。さらに、メモリ９０８は補助パイロットチャネル情報（例えば、ウォルシュコード、ホワイトリスト、ブラックリスト…）、モバイルアシストによる発見および選択のためのデータベース（例えば、ＰＵＺＬデータベース…）、等を記憶することができる。
【００９３】
ここに説明されているデータ記憶装置（例えば、メモリ９０８…）は揮発性メモリでも不揮発性メモリでもよく、または揮発性および不揮発性のメモリの両方を含むことができると理解される。例として、かつ限定ではなく、不揮発性メモリは、リードオンリーメモリ（ＲＯＭ）、プログラマブルＲＯＭ（ＰＲＯＭ）、エレクトリカリプログラマブルＲＯＭ（ＥＰＲＯＭ）、エレクトリカリイレーザブルＰＲＯＭ（ＥＥＰＲＯＭ）、またはフラッシュメモリを含むことができる。揮発性メモリは、ランダムアクセスメモリ（ＲＡＭ）を含むことができ、これは外部キャッシュメモリとして動作する。例として、かつ限定ではなく、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンスドＳＤＲＡＭ（ＥＳＤＲＡＭ）、シンクリンクＤＲＡＭ（ＳＬＤＲＡＭ）およびダイレクトラムバスＲＡＭ（ＤＲＲＡＭ）といった多くの形態で入手可能である。本システムおよび方法のメモリ９０８は、これらおよび別の他の好ましいタイプのメモリを含むものとされ、これらに限定されることはない。
【００９４】
プロセッサ９０６は、補助パイロット検出コンポーネント９１０および／または比較コンポーネント９１２に動作可能に連結されることができる。補助パイロット検出コンポーネント９１０は図３の補助パイロット検出コンポーネント３１０と実質的に同様であることができ、および／または比較コンポーネント９１２は図３の比較コンポーネント３１２と実質的に同様であることができる。補助パイロット検出コンポーネント９１０は、補助パイロットチャネル情報（例えば、ウォルシュコード（単数または複数）…）を得るために補助パイロットチャネルをスキャンすることができる。さらに、比較コンポーネント９１２は得られた補助パイロットチャネル情報を解析することができる。例えば、比較コンポーネント３１２は、同報基地局（単数または複数）の特徴（単数または複数）を識別するために、メモリ９０８に保存されている記憶された補助パイロットチャネル情報と得られた補助パイロットチャネル情報を比較することができる。示されていないが、移動機９００は、登録コンポーネント（例えば、図３の登録コンポーネント３１４と実質的に同様の…）、共通パイロット評価コンポーネント（例えば、図５の共通パイロット評価コンポーネント５０４と実質的に同様の…）、加入コンポーネント（例えば、図６の加入コンポーネント６０４と実質的に同様の…）、および／またはスキャン開始コンポーネント（図６のスキャン開始コンポーネント６０８と実質的に同様の…）をさらに含むことができるものと考えられる。移動機９００は、変調器９１４と、基地局にデータ、信号等を送信する送信機９１６とをさらにまた含むことができる。プロセッサ９０６と別々に図示されているが、補助パイロット検出コンポーネント９１０、比較コンポーネント９１２および／または変調器９１４は、プロセッサ９０６または多数のプロセッサ（図示せず）の一部であることができると理解されるべきである。
【００９５】
図１０は無線通信環境においてシステムの識別および／または検出に利用される情報を提供するシステム１０００の説明図である。システム１０００は、複数の受信アンテナ１００６によって１つまたは複数の移動機１００４から信号（単数または複数）を受信する受信機１０１０と、送信アンテナ１００８によって１つまたは複数の移動機１００４に信号を送る送信機１０２２とを備えた基地局１００２（例えば、アクセスポイント…）を含む。受信機１０１０は受信アンテナ１００６から情報を受信することができ、受信された情報を復調する復調器１０１２と動作可能に関連付けられている。復調されたシンボルは図９に関して上述されたプロセッサと同様のものであることができるプロセッサ１０１４によって解析され、これは移動機（単数または複数）１００４、に送信される、または、それから受信されたデータ、および／またはここに示されている様々な動作および機能の実行に関連する別の他の好ましい情報を記憶するメモリ１０１６に連結されている。プロセッサ１０１４は、ここに説明されているような選択された／割り当てられたウォルシュコードに応じて、独自の補助パイロット（単数または複数）を生成する補助パイロット発生コンポーネント１０１８にさらに連結されている。補助パイロット発生コンポーネント１０１８は、図３の補助パイロット発生コンポーネント３０２と実質的に同様であることができると考えられる。さらに、示されていないが、基地局１００２は共通パイロット発生コンポーネント（例えば、図５の共通パイロット発生コンポーネント５０２と実質的に同様の…）、および／またはコード割り当てコンポーネント（例えば、図６のコード割り当てコンポーネント６０２と実質的に同様の…）をさらに含むことができると理解されるべきである。基地局１００２は、さらに変調器１０２０を含むことができる。変調器１０２０は、上記の説明にしたがって、送信機１０２２による送信用のフレームを、アンテナ１００８によって移動機（単数または複数）１００４に多重送信することができる。プロセッサ１０１４とは別々に図示されているが、補助パイロット発生コンポーネント１０１８および／または変調器１０２０はプロセッサ１０１４または多数のプロセッサ（図示せず）の一部であることができると理解されるべきである。
【００９６】
図１１は、例示的な無線通信システム１１００を示している。無線通信システム１１００は、簡略化のために基地局１１１０および１つの移動機１１５０を示している。しかし、システム１１００は、２つ以上の基地局および／または２つ以上の移動機を含むことができ、追加の基地局および／または移動機は、以下に説明されている例示的な基地局１１１０および移動機１１５０と、実質的に同様または異なることがあると理解されるべきである。加えて、基地局１１１０および／または移動機１１５０は、その間の無線通信を容易にするために、ここに説明されているシステム（図１〜３、５〜６、９〜１０および１２〜１３）および／または方法（図７〜８）を用いることができると理解されるべきである。
【００９７】
基地局１１１０において、複数のデータストリーム用のトラフィックデータは、データソース１１１２によって送信（ＴＸ）データプロセッサ１１１４に提供される。例によると、各データストリームはそれぞれのアンテナによって送信されることができる。ＴＸデータプロセッサ１１１４は、コード化データを提供するためにそのデータストリーム用に選択された特定の暗号方式に基づいて、トラフィックデータストリームをフォーマットし、コード化し、かつインターリーブする。
【００９８】
各データストリーム用のコード化データは、直交周波数分割多重（ＯＦＤＭ）技術を使用してパイロットデータとともに多重化されることができる。加えて、または代替として、パイロットシンボルは周波数分割多重化（ＦＤＭ）、時分割多重化（ＴＤＭ）、または符号分割多重化（ＣＤＭ）されることができる。パイロットデータは、一般的に、既知のやり方で処理され、かつチャネルの応答を推定するために移動機１１５０で使用されることができる既知のデータパターンである。各データストリーム用の多重化パイロットおよびコード化データは、変調シンボルを提供するためにそのデータストリーム用に選択された特定の変調方式（例えば、２相位相変調（ＢＰＳＫ）、４相位相変調（ＱＰＳＫ）、Ｍ−位相変調（Ｍ−ＰＳＫ）、Ｍ−直交振幅変調（Ｍ−ＱＡＭ）、等）に基づいて変調される（例えば、シンボルマッピングされる）ことができる。各データストリーム用のデータレート、暗号化、および変調は、プロセッサ１１３０によって実行される、または提供される命令によって決定されることができる。
【００９９】
データストリーム用の変調シンボルは、ＴＸ  ＭＩＭＯプロセッサ１１２０に提供されることができ、これは変調シンボルをさらに処理することができる（例えば、ＯＦＤＭ用）。すると、ＴＸ  ＭＩＭＯプロセッサ１１２０は、のＮＴ個の送信機（ＴＭＴＲ）１１２２ａから１１２２ｔにＮＴ個の変調シンボルストリームを供給する。様々な実施形態では、ＴＸ  ＭＩＭＯプロセッサ１１２０は、データストリームのシンボルに、およびシンボルが送信されるアンテナに、ビームフォーミング重み（beamforming weight）を適用する。
【０１００】
各送信機１１２２は、１つまたは複数のアナログ信号を提供するためにそれぞれのシンボルストリームを受信および処理し、かつＭＩＭＯチャネルによる送信に適した変調信号を提供するために、アナログ信号をさらに調整する（例えば、増幅する、フィルタリングする、およびアップコンバートする）。さらに、１１２２ａから１１２２ｔまでの送信機からのＮＴ個の変調信号は、それぞれ１１２４ａから１１２４ｔまでのＮＴ個のアンテナから送信される。
【０１０１】
移動機１１５０では、送信変調信号は、１１５２ａから１１５２ｒまでのＮＲ個のアンテナによって受信され、かつ各アンテナ１１５２からの受信信号は１１５４ａから１１５４ｒまでのそれぞれの受信機（ＲＣＶＲ）に供給される。各受信機１１５４は、それぞれの信号を調整（例えば、フィルタリング、増幅、およびダウンコンバート）して、サンプルを提供するために調整済みの信号をディジタル化し、かつ対応する「受信」シンボルストリームを提供するために、サンプルをさらに処理する。
【０１０２】
ＲＸデータプロセッサ１１６０は、ＮＴ個の「検出された（ｄｅｔｅｃｔｅｄ）」シンボルストリームを提供するために、特定の受信機処理技術に基づいて、ＮＲ個の受信機１１５４からＮＲ個の受信シンボルストリームを受信し、かつ処理することができる。ＲＸ  データプロセッサ１１６０は、データストリーム用のトラフィックデータを再生するために、各検知シンボルストリームを復調し、デインターリーブし、かつ復号することができる。ＲＸデータプロセッサ１１６０による処理は、基地局１１１０においてＴＸ  ＭＩＭＯプロセッサ１１２０およびＴＸデータプロセッサ１１１４によって行われるものと相補的である。
【０１０３】
プロセッサ１１７０は、どのプリコーディング行列（precoding matrix）を上記のように利用すべきかを周期的に決定することができる。さらに、プロセッサ１１７０は行列指数部（matrix index portion）およびランク値部を含むリバースリンクメッセージを定式化することができる。
【０１０４】
リバースリンクメッセージは、通信リンクおよび／または受信データストリームに関する様々なタイプの情報を含むことができる。リバースリンクメッセージは、ＴＸデータプロセッサ１１３８によって処理されることができ、それはまたデータソース１１３６から複数のデータストリーム用のトラフィックデータを受信し、それは変調器１１８０によって変調され、１１５４ａから１１５４ｒまでの送信機によって調整され、かつ基地局１１１０に返送される。 
基地局１１１０では、移動機１１５０によって送信されるリバースリンクメッセージを抽出するために、移動機１１５０からの変調信号はアンテナ１１２４によって受信され、受信機１１２２によって調整され、復調器１１４０によって復調され、かつＲＸデータプロセッサ１１４２によって処理される。さらに、プロセッサ１１３０は、ビームフォーミング重み（beamforming weight）の決定にどのプリコーディング行列を使用すべきかを決定するために、抽出メッセージを処理することができる。
【０１０５】
プロセッサ１１３０および１１７０はそれぞれ基地局１１１０および移動機１１５０において、オペレーションを指示（例えば、制御、調整、管理、等）することができる。各プロセッサ１１３０および１１７０は、プログラムコードおよびデータを記憶するメモリ１１３２および１１７２に関連付けられることができる。プロセッサ１１３０および１１７０はまた、それぞれアップリンクおよびダウンリンク用に周波数およびインパルス応答推定を導くために計算を行うことができる。
【０１０６】
ここに説明されている実施形態は、ハードウェア、ソフトウェア、ファームウェア、ミドルウェア、マイクロコード、またはそれらのいずれの組合せでも実施可能であることが理解されるべきである。ハードウェアの実施では、処理ユニットは、１つまたは複数の、用途特定集積回路（ＡＳＩＣｓ）、ディジタル信号プロセッサ（ＤＳＰｓ）、ディジタル信号処理デバイス（ＤＳＰＤｓ）、プログラマブルロジックデバイス（ＰＬＤｓ）、フィールドプログラマブルゲイトアレイ（ＦＰＧＡｓ）、プロセッサ、制御装置、マイクロ制御装置、マイクロプロセッサ、ここに説明されている機能を実行するように設計されている他の電子ユニット、またはそれらの組合せの中で実施されることができる。
【０１０７】
実施形態がソフトウェア、ファームウェア、ミドルウェアまたはマイクロコード、プログラムコードまたはコードセグメントにおいて実施される場合、それらは機械可読媒体、例えば記憶コンポーネントに記憶されることができる。コードセグメントは、手順、機能、サブプログラム、プログラム、ルーチン、サブルーチン、モジュール、ソフトウェアパッケージ、クラス、または命令、データ構造またはプログラムステートメントのいずれの組合せをも表すことができる。コードセグメントは、情報、データ、引数（argument）、パラメータまたはメモリコンテンツを送ったりおよび／または受信したりすることによって、別のコードセグメントまたはハードウェア回路に結合されることができる。情報、引数、パラメータ、データ等は、メモリシェアリング、メッセージパッシング、トークンパッシング、ネットワーク伝送、等を含むいずれの好ましい手段を使用して、受け渡され、転送され、かつ送信されることができる。
【０１０８】
ソフトウェアの実施では、ここに説明されている技術は、ここに説明されている機能を実行するモジュール（例えば、手順、機能、等）によって実施されることができる。ソフトウェアコードはメモリユニットに記憶され、かつプロセッサによって実行されることができる。メモリユニットはプロセッサの中で、またはプロセッサの外部で実施されることができ、その際には当該技術において知られているような様々な手段によってプロセッサと通信用に結合されることができる。
【０１０９】
図１２を参照すると、無線通信環境においてフェムトセル基地局を検知することを可能にするシステム１２００が示されている。例えば、システム１２００は移動機の中にあることができる。システム１２００は機能のブロックを含むものとして表され、これらはプロセッサ、ソフトウェア、またはそれらの組合せ（例えば、ファームウェア）によって実施される機能を表す機能のブロックであることができると理解されるべきである。システム１２００は、連動することができる電気コンポーネントの論理群１２０２を含む。例えば、論理群１２０２は補助パイロットチャネル１２０４のスキャンによって受信ウォルシュコードを認識するための電気コンポーネントを含むことができる。さらに、論理群１２０２は同報基地局１２０６の特徴を識別するために受信ウォルシュコードを評価するための電気コンポーネントを含むことができる。さらに、論理群１２０２は識別された特徴１２０８に応じて同期（Ｓｙｎｃ）チャネルを読み取るように選択するための電気コンポーネントを含むことができる。論理群１２０２はまた、フェムトセル基地局１２１０に関係する予約擬似ノイズ（ＰＮ）オフセットを求めて共通パイロットチャネルをモニタリングするための電気コンポーネントをオプションで含むことができる。さらに、システム１２００は電気コンポーネント１２０４、１２０６、１２０８および１２１０に関連付けられる実行機能のための命令を保持するメモリ１２１２を含むことができる。メモリ１２１２の外部にあるように示されているが、１つまたは複数の電気コンポーネント１２０４、１２０６、１２０８および１２１０はメモリ１２１２内に存在することができると理解されるべきである。
【０１１０】
図１３を参照すると、無線通信環境においてシステムの選択に使用される同一性情報の同報を可能にするシステム１３００が示されている。例えば、システム１３００は少なくとも部分的に基地局内にあることができる。システム１３００は機能的なブロックを含むものとして表され、それらはプロセッサ、ソフトウェア、またはそれらの組合せ（例えば、ファームウェア）によって実施される機能を表す機能的なブロックであることができると理解されるべきである。システム１３００は、連動することができる電気コンポーネントの論理群１３０２を含む。例えば、論理群１３０２は、基地局１３０４において割り当てウォルシュコードを得るための電気コンポーネントを含むことができる。さらに、論理群１３０２は割り当てウォルシュコード１３０６に応じて独自の補助パイロットを生成するための電気コンポーネントを含むことができる。さらに、論理群１３０２は、基地局１３０８の特徴を識別するために１つまたは複数の移動機に独自の補助パイロットを送信するための電気コンポーネントを含むことができる。論理群１３０２は、加えて、基地局がフェムトセル基地局１３１０であることを表示するために、予約擬似ノイズ（ＰＮ）オフセットを伴う共通パイロットを転送するための電気コンポーネントをオプションで含むことができる。加えて、システム１３００は電気コンポーネント１３０４、１３０６、１３０８および１３１０に関連付けられる機能を実行するための命令を保存するメモリ１３１２を含むことができる。メモリ１３１２の外部にあるように示されているが、電気コンポーネント１３０４、１３０６、１３０８および１３１０の１つまたは複数はメモリ１３１２の中に存在することができると理解されるべきである。
【０１１１】
ここに開示されている実施形態に関連して説明されている、様々な例示的な論理、論理ブロック、モジュールおよび回路は、汎用プロセッサ、ディジタル信号プロセッサ（ＤＳＰ）、用途特定集積回路（ＡＳＩＣ）、フィールドプログラマブルゲートアレイ（ＦＰＧＡ）または他のプログラマブルロジックデバイス、離散ゲートまたはトランジスタ論理、離散ハードウェアコンポーネント、またはここに説明されている機能を実行するように設計された、それらのいずれの組合せによっても実施または実行されることができる。汎用プロセッサはマイクロプロセッサであることができるが、代替として、プロセッサはいずれの従来のプロセッサ、制御装置、マイクロ制御装置、またはステートマシンであることができる。プロセッサはまた、コンピュータ機器の組合せ、例えば、ＤＳＰとマイクロプロセッサの組合せ、複数のマイクロプロセッサ、ＤＳＰコア併用型の１つまたは複数のマイクロプロセッサ、またはいずれの他のそのような構成として実施されることができる。加えて、少なくとも１つのプロセッサは、上記のステップおよび／または動作の１つまたは複数を実行するように操作可能な１つまたは複数のモジュールを含むことができる。
【０１１２】
さらに、ここに開示されている態様に関連して説明されている方法またはアルゴリズムのステップおよび／または動作は、ハードウェアで、プロセッサによって実行されるソフトウェアモジュールで、またはその２つを組み合わせて直接的に具体化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルデスク、ＣＤ−ＲＯＭ、または当該技術で知られている記憶媒体の別の他の形態の中にあることができる。典型的な記憶媒体はプロセッサに結合されることができるので、プロセッサは、記憶媒体、から情報を読み出すことができ、かつ、に情報を書き込むことができる。代替として、記憶媒体はプロセッサと一体化することができる。さらに、いくつかの態様では、プロセッサと記憶媒体はＡＳＩＣの中にあることができる。加えて、ＡＳＩＣはユーザー端末の中にあることができる。代替として、プロセッサと記憶媒体はユーザー端末の中の離散コンポーネントとして存在することができる。加えて、いくつかの態様では、方法またはアルゴリズムのステップおよび／または動作は、機械可読媒体および／またはコンピュータ可読媒体上のコードおよび／または命令の、１つまたはいずれの組合せまたは組としても存在することができ、コンピュータプログラム製品に組み込まれることができる。
【０１１３】
１つまたは複数の態様において、説明されている機能は、ハードウェア、ソフトウェア、ファームウェア、またはそれらのいずれの組合せにおいても実施されることができる。ソフトウェアで実施される場合、機能はコンピュータ可読媒体上の１つまたは複数の命令またはコードとして記憶または送信されることができる。コンピュータ可読媒体は、１つの場所から他所へのコンピュータプログラムの転送を容易にするいずれの媒体をも含む、コンピュータ記憶媒体と通信媒体の両方を含む。記憶媒体は、コンピュータによってアクセスされることができるいずれの利用可能な媒体であることができる。例として、および限定ではなく、そのようなコンピュータ可読媒体はＲＡＭ、ＲＯＭ、ＥＥＰＲＯＭ、ＣＤ−ＲＯＭまたは他の光ディスク記憶装置、磁気ディスク記憶装置または他の磁気記憶デバイス、または、命令またはデータ構造の形態で望ましいプログラムコードを搬送または記憶するのに使用することができ、かつコンピュータによってアクセスすることができる別の他の媒体を含むことができる。また、いずれの通信手段もコンピュータ可読媒体と称することができる。例えば、ソフトウェアがウェブサイト、サーバ、または同軸ケーブル、光ファイバーケーブル、ツイストペア、ディジタル加入者回線（ＤＳＬ）、または赤外線、ラジオおよびマイクロ波といった無線技術を使用する他のリモートソースから送信されるのであれば、同軸ケーブル、光ファイバーケーブル、ツイストペア、ＤＳＬ、または赤外線、ラジオ、マイクロ波といった無線技術が媒体の定義の中に含まれる。ディスク（disk）およびディスク（disc）は、ここに使用されているように、コンパクトディスク（disc）（ＣＤ）、レーザー（登録商標）ディスク（disc）、光ディスク（disc）、ディジタル多用途ディスク（disc）（ＤＶＤ）、フロッピー（登録商標）ディスク（disk）、およびブルーレイ（登録商標）ディスク（disc）を含み、ディスク（disks）は普通、データを磁気的に再生するが、ディスク（discs）は普通、レーザーを用いて光学的にデータを再生する。上記の組合せもまたコンピュータ可読媒体の範囲内に含まれるべきである。
【０１１４】
上記の開示は例示的な態様および／または実施形態を論じているが、添付の請求項によって定義されているような説明された態様および／または実施形態の範囲から外れることなく、ここで様々に変化および変更し得ることに注意するべきである。さらに、説明された態様および／または実施形態の構成要素は単数形で説明または請求されることができるが、単数形の限定が明示的に示されていない限り複数形が意図される。さらに、いずれの態様および／または実施形態のすべてまたは一部も、別段の指定がない限り、いずれの他の態様および／または実施形態のすべてまたは一部によっても利用されることができる。
【図１】
2011517897.tif 000003
【図２】
2011517897.tif 000004
【図３】
2011517897.tif 000005
【図４】
2011517897.tif 000006
【図５】
2011517897.tif 000007
【図６】
2011517897.tif 000008
【図７】
2011517897.tif 000009
【図８】
2011517897.tif 000010
【図９】
2011517897.tif 000011
【図１０】
2011517897.tif 000012
【図１１】
2011517897.tif 000013
【図１２】
2011517897.tif 000014
【図１３】
2011517897.tif 000015
【国際調査報告】
2011517897.tif 000016
2011517897.tif 000017
2011517897.tif 000018